(57)【要約】      （修正有）【課題】実用的なスライシングメカニズムの提供に貢献する装置及び関連する方法を提供する。【解決手段】ネットワークスライスがサポートされ、テナントが関連付けられたスライスタイプを使用して通信を行うことがきる移動体用電気通信システム１において、基地局５−１、５−２は、ネットワークスライシング関連情報を生成する。ネットワークスライシング関連情報は、それの通信が基地局を介してサポートされているテナント及び基地局によってサポートされているテナントのネットワークスライスタイプに対するサポートを識別する情報、特定のテナント及び特定のテナントの特定のスライスタイプに関連付けられた通信パラメータを含む情報、のうちの少なくとも１つを含む。基地局は、ネットワークスライシング関連情報を他の基地局及び通信装置のうちの少なくとも１つに送信する。【選択図】図１
2020092453.tif 000002
【特許請求の範囲】
【請求項１】
無線アクセスネットワーク（ＲＡＮ）ノードであって、
前記ＲＡＮノードは、前記ＲＡＮノードと近隣ＲＡＮノードとの間においてアップデート情報を転送するための手順において、前記近隣ＲＡＮノードと通信するように構成され、且つ、コントローラと送信機とを具備し、
前記コントローラは、構成アップデートメッセージに対して、前記ＲＡＮノードによってサポートされる少なくとも１つの公衆地上移動ネットワーク（ＰＬＭＮ）を識別する第１情報、及び、少なくとも１つのスライスを識別する第２情報を含め、
前記送信機は、前記第１情報及び前記第２情報を含む前記構成アップデートメッセージを、前記近隣ＲＡＮノードへ送信するように構成される、
ＲＡＮノード。
【請求項２】
前記構成アップデートメッセージに対する構成アップデート応答メッセージを、前記近隣ＲＡＮノードから受信するように構成された受信機をさらに具備する、
請求項１記載のＲＡＮノード。
【請求項３】
前記第２情報は、スライスタイプを識別する情報を含む、
請求項１又は２に記載のＲＡＮノード。
【請求項４】
無線アクセスネットワーク（ＲＡＮ）ノードであって、
前記ＲＡＮノードは、前記ＲＡＮノードと近隣ＲＡＮノードとの間において情報を交換するための手順において、前記近隣ＲＡＮノードと通信するように構成され、且つ、コントローラと送信機とを具備し、
前記コントローラは、セットアップ要求メッセージに対して、前記ＲＡＮノードによってサポートされる少なくとも１つの公衆地上移動ネットワーク（ＰＬＭＮ）を識別する第１情報、及び、少なくとも１つのスライスを識別する第２情報を含め、
前記送信機は、前記第１情報及び前記第２情報を含む前記セットアップ要求メッセージを、前記近隣ＲＡＮノードへ送信するように構成される、
ＲＡＮノード。
【請求項５】
前記セットアップ要求メッセージに対する応答メッセージを、前記近隣ＲＡＮノードから受信するように構成された受信機をさらに具備する、
請求項４記載のＲＡＮノード。
【請求項６】
前記第２情報は、スライスタイプを識別する情報を含む、
請求項４又は５に記載のＲＡＮノード。
【請求項７】
無線アクセスネットワーク（ＲＡＮ）ノードによる方法であって、
構成アップデートメッセージに対して、前記ＲＡＮノードによってサポートされる少なくとも１つの公衆地上移動ネットワーク（ＰＬＭＮ）を識別する第１情報、及び、少なくとも１つのスライスを識別する第２情報を含めること、及び、
前記ＲＡＮノードと近隣ＲＡＮノードとの間においてアップデート情報を転送するための手順において、前記第１情報及び前記第２情報を含む前記構成アップデートメッセージを、前記近隣ＲＡＮノードへ送信すること、
を含む方法。
【請求項８】
前記構成アップデートメッセージに対する構成アップデート応答メッセージを、前記近隣ＲＡＮノードから受信することを含む、
請求項７記載の方法。
【請求項９】
前記第２情報は、スライスタイプを識別する情報を含む、
請求項７又は８に記載の方法。
【請求項１０】
無線アクセスネットワーク（ＲＡＮ）ノードによる方法であって、
セットアップ要求メッセージに対して、前記ＲＡＮノードによってサポートされる少なくとも１つの公衆地上移動ネットワーク（ＰＬＭＮ）を識別する第１情報、及び、少なくとも１つのスライスを識別する第２情報を含めること、及び、
前記ＲＡＮノードと近隣ＲＡＮノードとの間において情報を交換するための手順において、前記第１情報及び前記第２情報を含む前記セットアップ要求メッセージを、前記近隣ＲＡＮノードへ送信すること、
を含む方法。
【請求項１１】
前記セットアップ要求メッセージに対する応答メッセージを、前記近隣ＲＡＮノードから受信することを含む、
請求項１０記載の方法。
【請求項１２】
前記第２情報は、スライスタイプを識別する情報を含む、
請求項１０又は１１に記載の方法。
【発明の詳細な説明】
【技術分野】
【０００１】
本発明はセルラー又は無線通信ネットワークにおける無線アクセスネットワークに関し、特に、それらに制限されるものではないが、複数の事業者間の無線アクセスネットワークの共有に関する。本発明は、特に、それらに制限されるものではないが、３ＧＰＰ（3rd Generation Partnership Project）によって規定されている多様な規格に従って実施される無線電気通信ネットワークに関係する。本発明は、例えば、ＬＴＥ（Long Term Evolution）ネットワーク、ＬＴＥアドバンスト（ＬＴＥ−Ａ）ネットワーク、ＬＴＥ／ＬＴＥ−Ａに関連する強化及び開発、及びＬＴＥ／ＬＴＥ−Ａ以降の、より最近の、いわゆ「５Ｇ」又は「新無線（ＮＲ（New Radio）」技術への開発に関係する。
【背景技術】
【０００２】
無線アクセスネットワーク（ＲＡＮ（Radio Access Network））の共有の展開のシナリオが知られており、これらのシナリオの実装を容易にするための方法や能力が３ＧＰＰ（3rd Generation Partnership Project）のリリース５以降の規格に導入されている。
【０００３】
従来、ＲＡＮの共有（RAN sharing）は、ネットワーク事業者（サービスプロバイダ）が無線通信ネットワークをセットアップするときに、彼らの資本支出要求を減らし、かつ／又はセルラー通信サービスによってカバーされるエリアを広げる方法を与える。各事業者がネットワークの各セルに自分達の基地局及び関連機器を提供しなければならないというのではなく、事業者が他の事業者のＲＡＮを共有することによって、自分達の基地局に投資することを必要とせず、他の事業者が提供する地域にサービスを提供することができる。
【０００４】
さらに、提供及び運用しなければならない基地局の数を減らすことによって、共有関係にある事業者は進行中の運用コストを削減することができる。実際、各基地局は動作中に大量の電力を利用することがあり、したがって動作中の基地局の数を減らすことによって電力要求を大幅に減らすことができ、それゆえ環境にやさしいと見なすこともできる。
【０００５】
通常、事業者によるＲＡＮの共有は、各事業者が他の事業者のＲＡＮへのアクセスを取得するための、固定的な長期契約を結ぶ。ＲＡＮの共有は、特に、事業者が十分に活用されていないセルの設備能力を有する領域において有利である。なぜなら、この利用されていない設備能力は、本来の事業者の進行中のサービスの提供に影響を与えることなく共有することができるからである。さらに、ＲＡＮの共有は、各事業者が、設備能力が十分に利用されない可能性が高い遠隔地に高価な設備能力を備えることを必要とせずに、事業者によって提供されるサービスが、特定の国においてはライセンス条件によって指定される、人口の一定の割合に達することができることを保証するために有用であるかもしれない。
【０００６】
用語「５Ｇ」及び「新無線（ＮＲ）」は、マシーンタイプ通信（ＭＴＣ（Machine Type Communications））、ＩｏＴ（Internet of Things）通信、車両通信及び自律車両、高解像度ビデオストリーミング、スマート都市サービス等の、多様なアプリケーションやサービスをサポートすることが期待される発展中の通信技術を意味する。したがって、５Ｇ／ＮＲ技術は、第三者へネットワークサービスを提供し、新しいビジネス機会を生み出すために、垂直市場へのネットワークアクセスを可能にし、ネットワーク（ＲＡＮ）共有をサポートすることが期待されている。通常、５Ｇ／ＮＲ通信システムの基地局はＮＲ−ＢＳ（New Radio Base Station）又は「ｇＮＢ」と呼ばれるが、それらは、通常はＬＴＥ基地局に関連付けられているｅＮＢ（又は５Ｇ／ＮＲｅＮＢ）という用語を使用して参照されてもよい。
【０００７】
近年、ｇＮＢ（本明細書では「分散」ｇＮＢと呼ばれる）の機能を１つ又は複数の分散ユニット（ＤＵ）と中央ユニット（ＣＵ）との間で分割し、通常、ＣＵが高レベルの機能及び次世代のコアとの通信を実行し、ＤＵが低レベルの機能及び近隣の（つまり、ｇＮＢによって運用されるセルにおける）ユーザ機器（ＵＥ）とのエアインターフェースを介した通信を実行することが提案されている。
【０００８】
上述のような多様なアプリケーション及びサービスをサポートするために、モバイルネットワーク事業者は、これらのアプリケーションの多様で、相反することが多い要求を満たし、大量のデータトラフィックを扱う必要がある。例えば、これらのアプリケーションのうちのいくつかは比較的緩いＱｏＳ／ＱｏＥ（Quality of Service/Quality of Experience）要求を有し、他のいくつかのアプリケーションは比較的厳格なＱｏＳ／ＱｏＥ要求（例えば、高帯域幅及び／又は低遅延）を有する。
【０００９】
サービス又はアプリケーションの各種類に対して専用ネットワーク基盤を展開することは高価であり、現実的ではない。それゆえ、ネットワークの仮想化及び「ネットワークスライシング」は、共通のネットワーク基盤上で多様な要求を伴う異種のアプリケーションをサポート及び対応するための柔軟かつ費用対効果が大きい方法として考えられている。そのようなネットワークスライシングは、例えば、ＮＧＭＮ（Next Generation Mobile Networks）協定による「ＮＧＭＮ  ５Ｇ  Ｗｈｉｔｅ  Ｐａｐｅｒ」のＶ１．０に記載されている。この文献はhttps://www.ngmn.org/5g-white-paper.htmlから入手可能である。実際、ネットワークスライスは論理ネットワークであり、通常、特定のテナントに対する特定のサービスレベル契約（ＳＬＡ）（Service Level Agreement）に対するものである。ネットワーク（例えば、公衆地上移動ネットワーク（ＰＬＭＮ（Public Land Mobile Network））のテナントは、ネットワークの卸売顧客である。例えば、テナントは大企業であってもよいし、予め規定された一組のリソースへの、又は輻輳時におけるスライス加入者を扱う際の特定のポリシーへのアクセスを提供するためにＰＬＭＮを必要とする仲介業者であってもよい。テナントの例としては、公安機関が挙げられる。テナントはアプリケーション固有の要求を必要としてもよい。例えば、企業展開において、企業は現場における一組の装置、及び現場の運用に関係のない装置を有してもよい。企業は、輻輳時には（ＲＡＮ内かコア内かに依らず）少なくとも６０％のリソースを現場の運用に割り当てるが、リソースを常時分離するものではないというポリシーを有してもよい。
【００１０】
より詳細には、ネットワークスライス（例えば「５Ｇスライス」）は、特定の接続タイプの通信サービスのためのコントロールプレーンとユーザプレーンを扱う特定の方法を用いて、該サービスをサポートしてもよい。実際には、スライスは、特定のユースケース、技術及び／又はビジネスモデルのために組み合わされる複数のネットワーク機能及び特定の無線アクセス技術（ＲＡＴ）設定を含んでもよい。全てのスライスが同じ機能を含む必要はなく、１つ又それ以上のスライスにおいて、今日重要と思われる機能が欠けていてもよい。本質的には、スライスは任意のユースケースに必要なトラフィック処理のみを提供し、それによって他の不要な機能を回避するものである。
【００１１】
例として、同じ基盤（infrastructure）上で同時に動作する複数のスライスは、ネットワーク上に分散された本格的なスマートフォン専用の機能をセットアップすることによって設定される、典型的なスマートフォン用のスライスを含んでもよい。セキュリティ、信頼性、及び待ち時間が重要であり、待ち時間の制約の結果として必要とされる仮想アプリケーションを含む、全ての必要な（かつ潜在的に専用の）機能をクラウドエッジノードでインスタンス化できる、自動車用ユースケースをサポートするスライスが提供されてもよい。大規模マシーンタイプ（ＩｏＴ）装置（例えば、センサ）をサポートする他のスライスは、アクセスのための競合ベースのリソースを用いて、例えば任意のモビリティ機能を省略して設定された基本的なコントロールプレーン機能を備えてもよい。並行して動作する他の専用スライスや、未知のユースケースやトラフィックに対処するために、基本的なベストエフォート接続を提供する潜在的な汎用スライスが存在してもよい。
【００１２】
現在、ＲＡＮにおけるネットワークスライシングのサポートのために多数の重要な原理が適用される必要があるだろうと考えられている。まず、例えば、ＲＡＮはスライスを認識する必要があるだろう。具体的には、ＲＡＮは、事業者によって予め設定されている異なるネットワークスライスの異なった扱いをサポートするだろう。ＲＡＮはまた、地上波公共移動通信ネットワーク（ＰＬＭＮ）で予め設定されたネットワークスライスの１つを明確に識別する、ユーザ機器（ＵＥ）によって提供される「スライスＩＤ」等の識別子によるネットワークスライスのＲＡＮ部分の選択をサポートする可能性が高い。同様に、ＲＡＮは、スライス間のリソース管理（例えば、サービスレベル契約によるスライス間のポリシーの施行）、スライス内のＱｏＳの区別、及び／又はスライス間のリソース分離をサポートする可能性が高い。ＲＡＮはまた、例えば、受信したスライスＩＤ及びＲＡＮノード（ＣＮエンティティ、サポートされたスライス）におけるマッピングに基づく、アップリンクメッセージの初期経路指定のために、コアネットワーク（ＣＮ）エンティティのＲＡＮ選択もサポートする可能性が高い。スライスＩＤが受信されない場合、ＲＡＮは、ＮＡＳ（Non Access Stratum）ノード選択機能（ＮＮＳＦ（Node Selection Function））のような機能に基づいて、例えば、ＵＥの一時的ＩＤに基づいてＣＮエンティティを選択してもよい。
【発明の概要】
【発明が解決しようとする課題】
【００１３】
しかしながら、現在、多数の重要な問題に対する首尾一貫した見解又は決定は存在しない。例えば、現在、いくつかの基本的なスライスがそれらの対応するネットワーク機能（例えば、拡張モバイルブロードバンド（ｅＭＢＢ）、大規模マシーンタイプ通信（ＭＴＣ）等）とともに標準化されるかに対する確固たる見解は存在しない。同様に、ＵＥがあいまいでないスライスＩＤをどのように取得するのかも明確ではない。例えば、ＩＤは、ＣＮが（例えば、拡張専用コア（ｅＤＥＣＯＲ）の特徴と同様の）スライスを選択した後に、ＣＮによってＵＥに送信されるかもしれないし、ＵＥに予め設定されるかもしれない。また、リソースの分離が、複数のスライスがコントロールプレーン（それぞれのユーザプレーン）のリソース又は共通の処理リソースを共有できないことを意味するのか、かつ／又はリソース分離が、スライス間でコントロールプレーン（ＣＰ）とユーザプレーン（ＵＰ）のトラフィックを分離するために何らかの形式の暗号機能を実施すべきか不明である。
【００１４】
さらに、以下のような、対処する必要がある複数のＲＡＮ特有の問題がある。すなわち、例えば、ＲＡＮは、特定のＵＥがスライスを選択することを認可されているかをどのように確認するのか、そしてこの確認はいつ行われるのか；ＲＡＮはまた、ＵＥによってアクセスされる特定のリソースに基づいてスライスを選択してもよいかどうか；ＲＡＮ、又は他の何らかのエンティティもしくはエンティティのグループが、サービスレベルの契約から生じる要求を扱うか；ＲＡＮがスライス毎に独立してＱｏＳの施行を付加的にサポートすべきか。
【００１５】
他にも多くの問題もあるが、それはまだ考慮されていないか認識されておらず、機能的なスライシングメカニズムを提供するために対処する必要がある。
【００１６】
それゆえ、完全に機能する、効率的なスライシングメカニズムの提供に向けて行うべき重要な進展のために対処する必要がある多くの問題があると考えられる。
【００１７】
本発明は、少なくとも部分的にこれらの問題の１つ以上に対処することにより、実用的なスライシングメカニズムの提供に貢献する装置及び関連する方法を提供することを目的とする。
【００１８】
上記のような認識された問題があるが、本発明者は、未だに考慮されていない複数の問題に対処することによって、実用的なスライシングメカニズムに向けた進展を遂げることができることを見出した。
【課題を解決するための手段】
【００１９】
したがって、このようなメカニズムを提供するために、本明細書に記載の例示的な方法及び装置は、以下の１つ以上の項目に取り組み、少なくとも部分的にそれらに貢献するためのものである。
−セル（再）選択と同じくらい早い段階で、特定のＵＥが許可されたテナントＩＤ及び／又はスライスタイプが候補のセル内でサポートされているかどうかを認識することを可能にすること。
−初期のランダムアクセスチャネル（ＲＡＣＨ）のアクセス手順時に、（テナントＩＤによって識別される）テナント及び／又はスライスタイプに異なる優先順位付け行うこと。
−ネットワークスライシングのコンテキストにおけるモビリティの取り扱い、−例えば、近隣のｇＮＢにおけるリソース状況の決定、適切なターゲットの識別、及びハンドオーバー手順のためにそれを準備すること；任意のテナントＩＤ及び／又はスライスタイプに対して潜在的なターゲットが過負荷になっているかどうかの決定。
−ｇＮＢにおけるテナント及び／又はスライスの過負荷状況の取り扱い。
−（例えば、テナントＩＤ毎、スライスタイプ毎、無線アクセス技術（ＲＡＴ）毎、周波数毎、技術毎、及び／又はアップリンク／ダウンリンク（ＵＬ／ＤＬ）毎の）使用量の測定値の取得、並びに（スライスタイプ毎の）課金等のテナントの使用量に特有の機能の提供。そして、
−分散ｇＮＢのＣＵとＤＵとの間の機能的分割の、スライスタイプベースの動的な設定を可能にすること。
【００２０】
１つの態様において、ネットワークスライスがサポートされ、少なくとも１つのテナントが該テナントに関連付けられた少なくとも１つのスライスタイプを使用して通信を行うことがきる通信システムのための通信装置が提供される。通信装置は、コントローラと送受信機を備え、前記送受信機は基地局によって送信されるネットワークスライシング関連情報を受信するように構成され、前記ネットワークスライシング関連情報は少なくとも、（ｉ）それの通信が前記基地局を介してサポートされているテナント、及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータを含む情報、のうちの少なくとも１つを含み、そして前記コントローラは、特に前記通信装置が関連付けられたテナント、及び前記通信装置が関連付けられたテナントのスライスタイプのうちの少なくとも１つに関連する、前記受信されたネットワークスライシング関連情報で与えられる情報に基づいて、前記通信装置が関連付けられたテナントのスライスタイプを有するスライスを使用して、前記送受信機を介して、通信を制御するように構成されている。
【００２１】
もう１つの態様において、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記コントローラは該送受信機による送信のためのネットワークスライシング関連情報を生成するように構成され、前記送信のためのネットワークスライシング関連情報は少なくとも、（ｉ）それの通信が前記基地局を介してサポートされているテナント及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータを含む情報、のうちの少なくとも１つを含み、そして前記送受信機は前記コントローラによって生成された前記ネットワークスライシング関連情報を他の基地局及び通信装置のうちの少なくとも１つに送信するように動作可能である。
【００２２】
もう１つの態様において、ネットワークスライスがサポートされ、少なくとも１つのテナントが該テナントに関連付けられた少なくとも１つのスライスタイプを使用して通信を行うことがきる通信システムのための通信装置が提供される。通信装置は、コントローラと送受信機を備え、前記送受信機は、前記通信装置を、それの通信が前記基地局を介してサポートされているテナント、及び前記基地局によってサポートされているテナントのネットワークスライスタイプのうちの少なくとも１つに対する、少なくとも１つの近隣基地局によるサポートを識別する情報を、前記少なくとも１つの近隣基地局から取得するように設定するための設定情報を受信するように構成され、前記コントローラは、前記設定情報に基づいて、それの通信が前記基地局を介してサポートされているテナント、及び前記基地局によってサポートされているテナントのネットワークスライスタイプのうちの少なくとも１つに対する、前記少なくとも１つの近隣基地局によるサポートを識別する前記情報を、前記少なくとも１つの近隣基地局から取得し、前記取得した情報を含む報告を生成するように構成され、そして前記送受信機は少なくとも１つの基地局に前記報告を送るように構成されている。
【００２３】
もう１つの態様において、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記送受信機は、通信装置を、それの通信が前記基地局を介してサポートされているテナント、及び前記基地局によってサポートされているテナントのネットワークスライスタイプのうちの少なくとも１つに対する、少なくとも１つの近隣基地局によるサポートを識別する情報を、前記少なくとも１つの近隣基地局から取得するように設定するための設定情報を該通信装置に送信し、それの通信が前記基地局を介してサポートされているテナント、及び前記基地局によってサポートされているテナントのネットワークスライスタイプのうちの少なくとも１つに対する、前記少なくとも１つの近隣基地局によるサポートを識別する情報を含む報告を、前記通信装置から受信し、前記取得した情報を含む報告を生成するように構成され、そして前記コントローラは、前記受信した報告に含まれる前記サポートを識別する情報に基づいてハンドオーバーのターゲットを決定するように構成されている。
【００２４】
もう１つの態様において、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記送受信機は、少なくとも１つの特定のテナント、及び特定のテナントのうちの少なくとも１つの特定のネットワークスライスタイプのうちの少なくとも１つに関して過負荷動作が開始されるべきであることを示す情報をコアノードから受信するように構成され、前記コントローラは、前記過負荷動作が開始されるべきであることを示す情報に基づいて、少なくとも１つの特定のテナント、及び特定のテナントのうちの少なくとも１つの特定のネットワークスライスタイプのうちの少なくとも１つに関する通信を制御するように構成されている。
【００２５】
もう１つの態様において、ネットワークスライスがサポートされ、少なくとも１つのテナントが該テナントに関連付けられた少なくとも１つのスライスタイプを使用して通信を行うことがきる通信システムのためのコアノードが提供される。コアノードは、コントローラと送受信機を備え、前記コントローラは、少なくとも１つの特定のテナント、及び特定のテナントのうちの少なくとも１つの特定のネットワークスライスタイプのうちの少なくとも１つに関して過負荷動作が開始されるべきであることを決定するように構成され、前記送受信機は、少なくとも１つの特定のテナント、及び特定のテナントのうちの少なくとも１つの特定のネットワークスライスタイプのうちの少なくとも１つに関して過負荷動作が開始されるべきであることを示す情報を基地局に送信するように構成されている。
【００２６】
もう１つの態様において、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記コントローラは前記基地局を介した通信に対するデータ使用量情報を取得するように構成され、該データ使用量情報は、それに対して前記基地局を介した通信が行われる各テナント、及びそれに対して前記基地局を介した通信が行われる各テナントの各ネットワークスライスタイプのうちの少なくとも１つに対する、それぞれ別個のデータ使用量情報を含み、そして前記送受信機は該取得したそれぞれ別個のデータ使用量情報をコアノードに提供するように構成されている。
【００２７】
もう１つの態様において、ネットワークスライスがサポートされ、少なくとも１つのテナントが該テナントに関連付けられた少なくとも１つのスライスタイプを使用して通信を行うことがきる通信システムのための基地局装置が提供される。基地局装置は、分散ユニットと中央ユニットを備え、前記分散ユニットと前記中央ユニットの各々はコントローラと送受信機を備え、前記分散ユニットの前記コントローラは、前記中央ユニットに比べて、前記基地局装置の下位層の機能性を提供するように構成され、前記中央ユニットの前記コントローラは、前記分散ユニットに比べて、前記基地局装置の上位層の機能性を提供するように構成され、前記分散ユニットによって提供される前記下位層の機能性と前記中央ユニットによって提供される前記上位層の機能性との間には複数の可能な機能的分割が存在し、そして前記分散ユニットの前記コントローラ及び前記中央ユニットの前記コントローラは、前記分散ユニットによって提供される前記下位層の機能性と前記中央ユニットによって提供される前記上位層の機能性との間の前記機能的分割を、前記可能な機能的分割の第１分割から該機能的分割の第２分割へ動的に再設定するように構成されている。
【００２８】
もう１つの態様において、前記基地局装置の前記分散ユニットを実施する装置が提供される。
【００２９】
もう１つの態様において、前記基地局装置の前記中央ユニットを実施する装置が提供される。
【００３０】
もう１つの態様において、通信システムのためのコアノードが提供される。コアノードは、コントローラと送受信機を備え、前記コントローラは分散ユニット及び中央ユニットを有する基地局装置との通信を制御するように構成され、前記分散ユニットは、前記中央ユニットに比べて、前記基地局装置の下位層の機能性を提供し、前記中央ユニットは、前記分散ユニットに比べて、前記基地局装置の上位層の機能性を提供し、前記コントローラは、前記分散ユニットによって提供される前記下位層の機能性と前記中央ユニットによって提供される前記上位層の機能性との間の分割に対し、複数の可能な機能的分割のどれを使用するべきかを決定するように構成され、そして前記送受信機は、前記基地局装置の前記中央ユニットに対して、複数の可能な機能的分割のどれを使用するべきかに関する指示を提供するように構成されている。
【００３１】
もう１つの態様において、ネットワークスライスがサポートされ、少なくとも１つのテナントが該テナントに関連付けられた少なくとも１つのスライスタイプを使用して通信を行うことがきる通信システムにおいて通信装置によって実行される方法が提供される。方法は、基地局によって送信されるネットワークスライシング関連情報であって、（ｉ）それの通信が前記基地局を介してサポートされているテナント、及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータを含む情報、のうちの少なくとも１つを含む、ネットワークスライシング関連情報を受信すること、及び特に前記通信装置が関連付けられたテナント及び前記通信装置が関連付けられたテナントのスライスタイプのうちの少なくとも１つに関連する、前記受信されたネットワークスライシング関連情報で与えられる情報に基づいて、前記通信装置が関連付けられたテナントのスライスタイプを有するスライスを使用して通信を制御すること、を含む。
【００３２】
もう１つの態様において、ネットワークスライスがサポートされ、少なくとも１つのテナントが該テナントに関連付けられた少なくとも１つのスライスタイプを使用して通信を行うことがきる通信システムにおいて基地局によって実行される方法が提供される。方法は、送受信機による送信のためのネットワークスライシング関連情報であって、（ｉ）それの通信が前記基地局を介してサポートされているテナント、及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータ含む情報、のうちの少なくとも１つを含む、送信のためのネットワークスライシング関連情報を生成すること、及び前記生成されたネットワークスライシング関連情報を他の基地局及び通信装置の少なくも１つに送信すること、を含む。
【００３３】
もう１つの態様において、ネットワークスライスがサポートされ、少なくとも１つのテナントが該テナントに関連付けられた少なくとも１つのスライスタイプを使用して通信を行うことがきる通信システムにおいて通信装置によって実行される方法が提供される。方法は、前記通信装置を、それの通信が前記基地局を介してサポートされているテナント、及び前記基地局によってサポートされているテナントのネットワークスライスタイプのうちの少なくとも１つに対する、少なくとも１つの近隣基地局によるサポートを識別する情報を、前記少なくとも１つの近隣基地局から取得するように設定するための設定情報を受信すること、前記設定情報に基づいて、それの通信が前記基地局を介してサポートされているテナント、及び前記基地局によってサポートされているテナントのネットワークスライスタイプのうちの少なくとも１つに対する、前記少なくとも１つの近隣基地局によるサポートを識別する前記情報を、前記少なくとも１つの近隣基地局から取得し、前記取得した情報を含む報告を生成すること、及び少なくとも１つの基地局に前記報告を送ること、を含む。
【００３４】
もう１つの態様において、ネットワークスライスがサポートされ、少なくとも１つのテナントが該テナントに関連付けられた少なくとも１つのスライスタイプを使用して通信を行うことがきる通信システムにおいて基地局によって実行される方法が提供される。方法は、通信装置を、それの通信が前記基地局を介してサポートされているテナント、及び前記基地局によってサポートされているテナントのネットワークスライスタイプのうちの少なくとも１つに対する、少なくとも１つの近隣基地局によるサポートを識別する情報を、前記少なくとも１つの近隣基地局から取得するように設定するための設定情報を該通信装置に送信すること、それの通信が前記基地局を介してサポートされているテナント、及び前記基地局によってサポートされているテナントのネットワークスライスタイプのうちの少なくとも１つに対する、前記少なくとも１つの近隣基地局によるサポートを識別する情報を含む報告を、前記通信装置から受信すること、前記取得した情報を含む報告を生成すること、及び前記受信した報告に含まれる前記サポートを識別する情報に基づいてハンドオーバーのターゲットを決定すること、を含む。
【００３５】
もう１つの態様において、ネットワークスライスがサポートされ、少なくとも１つのテナントが該テナントに関連付けられた少なくとも１つのスライスタイプを使用して通信を行うことがきる通信システムにおいて基地局によって実行される方法が提供される。方法は、少なくとも１つの特定のテナント及び特定のテナントのうちの少なくとも１つの特定のネットワークスライスタイプのうちの少なくとも１つに関して過負荷動作が開始されるべきであることを示す情報をコアノードから受信すること、及び前記過負荷動作が開始されるべきであることを示す情報に基づいて、少なくとも１つの特定のテナント及び特定のテナントのうちの少なくとも１つの特定のネットワークスライスタイプのうちの少なくとも１つに関する通信を制御すること、を含む。
【００３６】
もう１つの態様において、ネットワークスライスがサポートされ、少なくとも１つのテナントが該テナントに関連付けられた少なくとも１つのスライスタイプを使用して通信を行うことがきる通信システムにおいてコアノードによって実行される方法が提供される。方法は、少なくとも１つの特定のテナント及び特定のテナントのうちの少なくとも１つの特定のネットワークスライスタイプのうちの少なくとも１つに関して過負荷動作が開始されるべきであることを決定すること、及び前記送受信機は、少なくとも１つの特定のテナント及び特定のテナントのうちの少なくとも１つの特定のネットワークスライスタイプのうちの少なくとも１つに関して過負荷動作が開始されるべきであることを示す情報を基地局に送信すること、を含む。
【００３７】
もう１つの態様において、ネットワークスライスがサポートされ、少なくとも１つのテナントが該テナントに関連付けられた少なくとも１つのスライスタイプを使用して通信を行うことがきる通信システムにおいて基地局によって実行される方法が提供される。方法は、それに対して前記基地局を介した通信が行われる各テナント、及びそれに対して前記基地局を介した通信が行われる各テナントの各ネットワークスライスタイプのうちの少なくとも１つに対する、それぞれ別個のデータ使用量情報を含む、前記基地局を介した通信に対するデータ使用量情報を取得すること、及び該取得したそれぞれ別個のデータ使用量情報をコアノードに提供すること、を含む。
【００３８】
もう１つの態様において、ネットワークスライスがサポートされ、少なくとも１つのテナントが該テナントに関連付けられた少なくとも１つのスライスタイプを使用して通信を行うことがきる通信システムのための基地局装置によって実行される方法が提供される。前記基地局装置は分散ユニットと中央ユニットを備える。方法は、前記分散ユニットを介して、前記中央ユニットに比べて、前記基地局装置の下位層の機能性を提供し、前記中央ユニットを介して、前記分散ユニットに比べて、前記基地局装置の上位層の機能性を提供すること、を含み、ここで、前記分散ユニットによって提供される前記下位層の機能性と前記中央ユニットによって提供される前記上位層の機能性との間には複数の可能な機能的分割が存在し、さらに前記分散ユニットによって提供される前記下位層の機能性と前記中央ユニットによって提供される前記上位層の機能性との間の前記機能的分割を、前記可能な機能的分割の第１分割から第２分割へ動的に再設定すること、を含む。
【００３９】
もう１つの態様において、通信システムのためにコアノードによって実行される方法が提供される。方法は、分散ユニット及び中央ユニットを有する基地局装置と通信すること、を含み、ここで前記分散ユニットは、前記中央ユニットに比べて、前記基地局装置の下位層の機能性を提供し、前記中央ユニットは、前記分散ユニットに比べて、前記基地局装置の上位層の機能性を提供し、前記分散ユニットによって提供される前記下位層の機能性と前記中央ユニットによって提供される前記上位層の機能性との間の分割に対し、複数の可能な機能的分割のどれを使用するかを決定すること、を含み、さらに前記基地局装置の前記中央ユニットに対して、複数の可能な機能的分割のどれを使用するかに関する指示を提供すること、を含む。
【００４０】
本発明の態様はシステム、方法、及び命令群を格納するコンピュータ可読メディア等のコンピュータプログラム製品を含む。それはら上述の、又は請求の範囲に記載された態様及び可能性に記載された方法を実施するためにプログラム可能プロセッサ又はシステムをプログラムするため、及び／又は請求項のいずれかに記載された装置を提供するために適当に適合されたコンピュータをプログラムするように動作可能である。
【００４１】
（請求の範囲を含む）本明細書に開示された、及び／又は図面に示される特徴は、他の開示された、及び／又は示された特徴と独立して（又は組み合わせて）本発明に組み込むことができる。特に、制限ではないが、特定の独立請求項から従属する請求項のいずれかの特徴は、その独立請求項に任意の組み合わせで、又は個々に組み込まれてもよい。
【００４２】
以下に記載される多様な手順を実行するために特定の物理的構成（例えば、コントローラ及び送受信機回路）を有する特定のハードウェア装置が開示されるが、本明細書に記載され、及び／又は請求項の一部をなす、方法の各ステップは該ステップを実行するための任意の適当は手段で実施されてもよい。これによれば、本発明の方法の各態様は、該方法の態様の各ステップを実行するための、それぞれの手段を含む、対応する装置態様を有する。
【００４３】
以下に、添付の図面への参照とともに本発明の例としての実施形態を説明する。
【図面の簡単な説明】
【００４４】
【図１】図１は本発明を適用することができるタイプの移動体電気通信システムを概略的に示す。
【図２】図２は、図１の電気通信システムでの使用に適した携帯電話を実施するための物理的装置のブロック図である。
【図３】図３は、図１の電気通信システムでの使用に適した基地局を実施するための物理的装置のブロック図である。
【図４】図４は、図１の電気通信システムでの使用に適した分散型基地局を実施するための物理的装置のブロック図である。
【図５】図５は、図１の電気通信システムにおいて負荷制御をサポートするのに適したコアネットワーク機能を実施するための物理的装置のブロック図である。
【図６】図６は、図１の電気通信システムにおいて課金機能の提供の容易化をサポートするのに適したコアネットワーク機能を実施するための物理的装置のブロック図である。
【図７】図７は、図１の電気通信システムに示されているタイプの分散型基地局の分散ユニットと中央ユニットとの間の機能的分割の動的設定をサポートするのに適したコアネットワーク機能を実施するための物理的装置のブロック図である。
【図８】図８は、ユーザ機器が特定のセル内のテナントＩＤ及び／又はスライスタイプのサポートを認識することを可能にするために、図１の電気通信システムの基地局とユーザ機器との間で実行される手順を示す。
【図９】図９は、テナント及び／又はスライスタイプに対する異なる優先順位付けを行うために、図１の電気通信システムの基地局とユーザ機器との間で実行される手順を示す。
【図１０】図１０は、図９の手順又は同様の手順を実施する際に、図１の電気通信システムのユーザ機器の内部で、無線リソース制御層、メディアアクセス制御層、物理層の間で実行される手順を示す。
【図１１】図１１はネットワークスライシングのコンテキストにおいてモビリティをサポートするために図１の電気通信システムに示されるタイプの基地局間で実行される複数の手順を示す。
【図１２】図１２はネットワークスライシングのコンテキストにおいてモビリティをサポートするために図１の電気通信システムに示されるタイプのユーザ機器と基地局の間で実行される複数の手順を示す。
【図１３】図１３はｇＮＢにおける輻輳／過負荷の取り扱いを容易にするために、図１の電気通信システムに示されるタイプのユーザ機器と基地局の間で実行される手順を示す。
【図１４】図１４はｇＮＢにおける輻輳／過負荷の取り扱いを容易にするために図１の電気通信システムに示されるタイの基地局とコアネットワーク機能の間で実行される手順を示す。
【図１５】図１５は課金等の（例えば、スライスタイプ毎の）テナントの使用量に特有の機能の提供を容易にするために図１の電気通信システムに示されるタイの基地局とコアネットワーク機能の間で実行される複数の手順を示す。
【図１６】図１６は、図１の電気通信システムに示されるタイプの分散型基地局の分散ユニットと中央ユニットとの間の機能的分割のための、複数の異なる選択肢を示す図である。
【図１７】図１７は、図１の電気通信システムに示されるタイプの分散型基地局の分散ユニットと中央ユニットとの間の機能的分割の動的設定を容易にするために、図１の電気通信システムで実行される手順を示す。
【図１８】図１８は、図１の電気通信システムに示されるタイプの分散型基地局の分散ユニットと中央ユニットとの間の機能的分割の動的設定を容易にするために、図１の電気通信システムで実行される他の手順を示す。
【発明を実施するための形態】
【００４５】
概要
図１は、複数の異なる構成のネットワークスライス２が規定され、それを介してネットワーク事業者が彼らのＳＬＡに基づいて異なるテナントにセルラーサービスを提供するモバイル（セルラー）電気通信システム１を概略的に示す。なお、テナントのコンセプトにより、ネットワーク事業者は異なる顧客の要求を区別し、１つ又は多数のスライスを使用してカスタマイズされたサービスを提供することができる。この例では、移動体用電気通信システム１は次世代（「５Ｇ」）システムとして動作するが、この例を参照して説明する機能の多くは他の通信システムにおいて広く適用可能である。各基地局は、ユーザ機器（ＵＥ）３（携帯電話／スマートフォン３−１、３−２及び３−３、ＭＴＣ／ＩｏＴ装置（図示せず）、及び／又は他の移動体又は固定位置通信装置）がそれらのネットワークに接続し、１つ又それ以上の関連するサービスを受けることを可能にするための関連した無線アクセスネットワーク（ＲＡＮ）の一部を形成する。
【００４６】
この例では、各ＵＥ３は、それ自身の固有のテナントＩＤを有する少なくとも１つのテナントによって通信サービスを提供される。したがって、テナント及びスライスのコンセプトにより、ネットワーク事業者は、各テナントの通信要求に応じて、１つ又はそれ以上の種類のネットワークスライス２を使用して通信サービスを提供することができる。
【００４７】
各ＵＥ３には多次元記述子（ＭＤＤ：multi-dimensional descriptor）が設定され、該ＭＤＤは、それが属するテナントのテナントＩＤと、それらが使用する権利がある（テナントＩＤによって部分的に管理される）サービス記述子／スライスタイプ（service descriptor/slice type）を少なくとも表す。サービス記述子／スライスタイプは標準化された値及び／又は事業者固有の値を含んでもよい。ＭＤＤは、本質的に、それの各行において、ＵＥ３がアクセス又はアドレス指定を要求することができるスライス２を示す行列である（したがって、スライスが１つの場合、ＭＤＤはベクトルである）。ＭＤＤ内の行はＭＤＤベクトルと呼ばれる。
【００４８】
電気通信システム１の１つ又はそれ以上の基地局５−１、５−２を介して、各テナントのそれぞれのＵＥ３にサービスが提供される。当業者に理解されるように、各基地局５は、Ｅ−ＵＴＲＡ（Evolved Universal Terrestrial Radio Access）技術等の適当な無線アクセス技術を使用して基地局５とＵＥ３との間で通信を行うことができる、１つ又はそれ以上のセル６−１、６−２、６−３を運用する。
【００４９】
基地局は、次世代（５Ｇ）規格に従って動作するように構成され、この例では、非分散型ｇＮＢ５−１及び分散ｇＮＢ５−２を含む。図１に示されているように、この例の分散ｇＮＢ５−２は中央ユニット（ＣＵ）５−２ｂと、各々が少なくとも１つの関連したセルにサービス提供する複数の分散ユニット（ＤＵ）５−２ａを備える。
【００５０】
なお、この例では、「ｇＮＢ」タイプの基地局が説明されるが、機能性の多くは、移動（セルラー）電話／スマートフォン、ＭＴＣ／ＩｏＴ装置、及び／又は他の移動又は固定位置通信装置等の、ＵＥ３への無線アクセスを提供するための他の基地局又は同様の装置に拡張することができる。
【００５１】
ｇＮＢ５は、電気通信システム１における通信をサポートするための複数の論理的なコアネットワークノード７を有する、関連するコアネットワークを介して接続されている。この例のコアネットワークノード７は、複数の機能のうち、少なくとも１つのコントロールプレーン機能７−１、少なくとも１つのユーザプレーン機能７−２、及び少なくとも１つのポリシー／課金機能７−４を実施する。この例では、コアネットワークノード７のうちの１つはまた、例えば、コアの過負荷制御を含む、ＬＴＥモビリティ管理エンティティ（ＭＭＥ）等の機能に対応する、モビリティ管理機能性を提供するモビリティ管理機能７−３を実施してもよい。この例では、コアネットワーク機能７のうちの１つはまた、分散ｇＮＢ５−２の分散ユニット５−２ａと中央ユニット５−２ｂとの間の機能的分割の動的設定を容易にするための機能（本明細書では「分散ｇＮＢ制御機能」７−５と呼ばれる）を含んでもよい。なお、説明のために特定の名称を有する別個の機能が説明されるが、対応する機能性は、専用の回路及び／又は関連するプロセッサを制御するためのソフトウェア命令を使用して実施される１つ又はそれ以上の適当なコアネットワークノード７によって分離して、又は組み合わせで実施されてもよい。例えば、分散ｇＮＢの制御機能７−５は、モビリティ管理機能を実施するコアノード等の任意の適当なコアネットワークノード７の一部として実施されてもよい。
【００５２】
この例において、ユーザプレーン機能７−２は、ユーザプレーンのトラフィックを終端し、データネットワークとインターフェースするための、少なくとも１つの、通常は複数の、いわゆる終端ユーザプレーン機能（ＴＵＰＦ（Terminating User Plane Function））を有する。背景技術として、３ＧＰＰテクニカルレポート（ＴＲ）２３．７９９Ｖ０．７．０は、実質的に１つ又はそれ以上のセル（ｇＮＢ）に結合された論理ネットワークノードであるＴＵＰＦのコンセプトを導入している。ＴＵＰＦと、接続された各ＵＥ３（すなわち、ＴＵＰＦに結合された基地局によって利用可能となるＵＥ）との間に適切なプロトコルデータユニット（ＰＤＵ）セッションが提供されると想定する。
【００５３】
好ましくは、特定のＵＥ３が、該ＵＥの許可されたテナントＩＤ及び／又はスライスタイプが特定のセル内でサポートされているかどうかを、可能な限り早く認識することができるように、１つの例としての方法において、サポートされているテナントＩＤ、（テナントＩＤ毎の）スライスタイプ、及びＴＵＰＦ７−２を識別する情報が対応するｇＮＢ５によってシステム情報において（例えば、ＬＴＥのＳＩＢ２等のシステム情報ブロック「ＳＩＢ」において）一斉放送（ブロードキャスト）される。そして、ＵＥ３は、任意のセルが特定の所望のテナントＩＤ、テナントＩＤ毎のスライスタイプ、及び／又はＴＵＰＦをサポートしているかどうかを確認する目的で、関連するＳＩＢに注意を傾けることができる。特定の所望のテナントＩＤ、テナントＩＤ毎のスライスタイプ、及び／又はＴＵＰＦのサポートは、ＭＤＤ、ＵＥの能力、及び／又はＵＳＩＭ設定に基づいて確認される。
【００５４】
ＵＥ３が、ｇＮＢ５によって一斉放送されたシステム情報に基づいて、それの所望のテナントＩＤ、テナントＩＤ毎のスライスタイプ、及びＴＵＰＦがセル６よってサポートされていることを特定すると、ＵＥ３は複数の異なる目的のいずれかのために（例えば、初期アクセス手順やサービスの要求のために）セル６に在圏（キャンプオン）することができる。モバイルネットワーク事業者は多数のテナント及びスライスをサポートすることができるが、任意のセルが全てを一斉放送しなければならないのではなく、局所的な需要に基づいてセルがどのように設定されるかに応じて、いくつかを一斉放送すればよい。主要でないテナント又はスライスは、多種多様なテナント又はスライスタイプによってサポートできる。
【００５５】
したがって、ｇＮＢ５は、特定のセル６でサポートされているテナントＩＤ、テナントＩＤ毎のスライスタイプ、及び／又はＴＵＰＦを（事業者の要求、需要等に基づいて）都合よく動的に変化させることができ、ＵＥ３は、それの許可されたテナントＩＤ及び／又はスライスタイプが該セル６内でサポートされているかどうかを効率的に特定することができる。
【００５６】
好ましくは、後に詳細に説明される例としての方法において、図１に示した通信システムは異なる処理をサポートするための手順を提供し、それにより異なるテナント及び／又はスライスタイプについての通信の優先順位付けを与える。具体的には、これらの例としての手順において、テナント毎及び／又は（各テナントに対する）スライスタイプ毎に、ランダムアクセスチャネル手順がどのように実行されるかに関するシステム情報が提供される。したがって、それぞれのテナントＩＤ毎及び／又は（各テナントに対する）スライスタイプ毎に、それぞれの異なる設定パラメータを提供することができる。１つの特に好ましい例において、ＲＡＣＨ手順に使用されるプリアンブルは、実際には、それぞれの異なるＲＡＣＨプリアンブル（又はプリアンブルの組）が各テナント及び／又は特定のテナントＩＤに関連付けられた各スライスタイプに関連付けられた状態で、テナントＩＤ内のテナントＩＤ毎及び／又はスライスタイプ毎に「スライス」される。これらのＲＡＣＨプリアンブル（又はプリアンブルの組）の各々には、対応するテナント及び／又はスライスタイプの通信が扱われるべき優先度を表す、それぞれの優先度が与えられる。他の例では、システム情報は、ＲＡＣＨ要求又はＲＡＣＨ要求の繰り返しを送信するために使用される電力、周波数及び／又は相対的なタイミングを設定するためのテナント／スライスタイプ固有のパラメータを含む。
【００５７】
好ましくは、後に詳細に説明される例としての方法において、図１に示す通信システムは、ネットワークスライシングのコンテキストにおける接続モードのモビリティをサポートするために、図１の電気通信システムに示されたタイプの基地局間で行われてもよい、複数の手順を提供する。これらの手順は、近隣ｇＮＢ５が、各近隣ｇＮＢ５によってどのテナントＩＤ及びスライスタイプがサポートされているかを認識することを可能にするための手順、及び近隣ｇＮＢ５が、各近隣ｇＮＢ５の各テナント、（テナントＩＤ内の）スライスタイプ、及びＴＵＰＦの負荷状態を認識することを可能にするための手順を含む、ハンドオーバー意思決定をサポートするための、多様なｇＮＢ間テナントＩＤ及びスライスタイプリソース情報交換手順（Inter-gNB tenant ID and slice type resource information exchange procedures）を含む。
【００５８】
好ましくは、後に詳細に説明される例としての方法において、図１に示す通信システムは、テナントＩＤ及び／又はスライス識別（インデックス）に基づいてアクセス禁止が実行されることを可能にすることによって、過負荷制御をサポートするためのサポートを提供する。同様に、後に詳細に説明する他の例としての方法において、図１に示す通信システムは、コアネットワーク制御過負荷手順（core network controlled overload procedure）（過負荷開始／停止手順（overload start/stop procedures））を１つ又はそれ以上の特定のテナントＩＤ及び／又はスライス識別を対象にして行うことを可能にすることによって、過負荷制御をサポートするためのサポートを提供する。
【００５９】
したがって、好ましくは、例としての１つの方法において、課金や他の目的のために各テナントのそれぞれの使用量を考慮するために、図１に示す通信システムは、スライスタイプや他の要因に関する、各テナントによるダウンリンク及びアップリンクの使用量を計算する目的のために測定（メジャメント）を取り入れることを可能にする。具体的には、テナントＩＤ毎、スライスタイプ毎、（５ＧはＷＬＡＮ  ＲＡＴ等の多様なＲＡＴをサポートできるため）ＲＡＴ毎、周波数毎、（ＬＡＡ（License Assisted Access）等の）技術毎、及び／又はＵＬ／ＤＬ毎の、ダウンリンク及びアップリンクの総データ量の収集を可能にするために多数の新しい機能及びカウンターが提供される。各ＵＥ３は、データ量収集の目的で、テナントＩＤに基づいて識別されてもよく、自身のテナントＩＤを介して識別されたＵＥ３に対するダウンリンク及びアップリンクの総データ消費量により、多様な粒度でテナント固有のデータ使用量の計算が可能になる。
【００６０】
さらに、５Ｇの目的のために、５Ｇがシームレスな方法で（ＩＥＥＥ８０２．１１、ＩＥＥＥ８０２．１５等の）非３ＧＰＰ無線アクセス技術をサポートすることを考慮すると、好ましくは、異なるＲＡＴベースの処理（例えば、課金）のために無線アクセス技術毎にデータ量の計算を行うこともできる。
【００６１】
好ましくは、後に詳細に説明される例としての方法において、図１に示す通信システムは、チャネル状態、負荷状態、及びサービス要求の品質等に基づいて、関連する機能的分割を最適化するために該機能的分割が動的に変えられることを可能にすることによって、中央ユニットと分散ユニットを有する基地局５−２の柔軟性を向上させる。
【００６２】
ユーザ装置
図２は、図１に示す（携帯電話等の）ユーザ機器３の主要構成要素を示すブロック図である。図示されるように、ＵＥ３は、１つ又はそれ以上のアンテナ２３３を介して（ｇＮＢ等の）基地局５と信号の送受信を行うように動作可能な送受信機回路２３１を有する。図２には示されていないが、当然の事ながら、ＵＥ３は従来のＵＥ３の通常の機能性（ユーザインターフェース２３５等）の全てを有してもよく、これらは必要に応じてハードウェア、ソフトウェア及びファームウェアのいずれか１つ又は任意の組み合わせによって実施されてもよい。ＵＥ３は、ユーザ機器３の動作を制御するためのコントローラ２３７を有する。
【００６３】
コントローラ２３７はメモリ２３９に関連付けられており、送受信機回路２３１に接続されている。メモリ２３９に予めソフトウェアがインストールされていてもよいし、かつ／又は、例えば、電気通信ネットワークを介して、又は取り外し可能なデータ記憶装置（ＲＭＤ（Removable Data Storage Device））からダウンロードされてもよい。
【００６４】
コントローラ２３７は、この例では、メモリ２３９内に格納されたプログラム命令又はソフトウェア命令によって、ＵＥ３の全体の動作を制御するように構成されている。示されるように、これらのソフトウェア命令は、特に、オペレーティングシステム２４１、通信制御モジュール２４３、スライス／テナント情報モジュール２４５、無線リソース制御（ＲＲＣ（Radio Resource Control））エンティティ２４７、メディアアクセス制御（ＭＡＣ（Medium Access Control））エンティティ２４９、物理層（ＰＨＹ（Physical Layer））エンティティ２５１、非アクセス層（ＮＡＳ（Non-Access Stratum））モジュール２５２、及び測定モジュール２５３を備える。
【００６５】
メモリはまた、通信及び制御の目的でＵＥ３において使用される設定情報２５５を格納する。通常、この情報は、特に、（ＵＥ用に設定されている場合）多次元記述子（ＭＤＤ（Multi-Dimensional Descriptor））、ＵＥの通信及び他の能力を識別する情報、及び、ユニバーサルＳＩＭ（Subscriber Identity Module）（ＵＳＩＭ）等のＵＥの加入者識別モジュール（ＳＩＭ）をどのように設定するかを特定する情報を含む。
【００６６】
通信制御モジュール２４３は、ＵＥ３と基地局５との間の通信を制御するように動作可能である。通信制御モジュール２４３はまた、基地局５に送信されるアップリンクデータ及び制御データの別個のフロー、並びに基地局５によって送信されるダウンリンクデータ及び制御データの受信を制御する。通信制御モジュール２４３は、例えば、セルの（再）選択、セルへの在圏、システム情報に対する注視、ランダムアクセスチャネル（ＲＡＣＨ（Random Access Channel））手順等の、アイドルモード及び接続モードの手順におけるＵＥ側の役割を担っている。
【００６７】
スライス／テナント情報モジュール２４５は、ＵＥ３が属するテナントを識別する情報、及びＵＥ３が使用することができるスライス／スライスタイプを識別する情報の管理及び維持を担っている。
【００６８】
ＲＲＣエンティティ２４７は、（通信制御モジュール２４３の全体的な制御下で）ＵＥ３のＲＲＣ層の機能性の制御を担っている。ＭＡＣエンティティ２４９は、（通信制御モジュール２４３の全体的な制御下で）ＵＥ３のＭＡＣ層の機能性の制御を担っている。ＰＨＹエンティティ２５１は、（通信制御モジュール２４３の全体的な制御下で）ＵＥ３の物理層の機能性の制御を担っている。ＮＡＳモジュール２５２は、（通信制御モジュール２４３の全体的な制御下で）ＵＥ３のＮＡＳ機能性の制御を担っている。
【００６９】
測定モジュール２５３は、（例えば、基地局５から受信した測定設定（メジャメント設定）及び制御情報に基づいて）サービングセル及び近隣セルにおける（受信信号電力及び品質等の）通信状態の測定の実行を扱う。測定モジュール２５３はまた、基地局５に送信するための関連する測定報告（メジャメント報告）を生成する。
【００７０】
非分散型基地局（ｇＮＢ）
図３は、図１に示すタイプの非分散型ｇＮＢ５−１の主要な構成要素を示すブロック図である。図示されるように、ｇＮＢ５−１は、１つ又はそれ以上のアンテナ３５３を介してＵＥ３と信号の送受信を行うように動作可能であり、かつネットワークインターフェース３５５を介してコアネットワーク７及び／又は他のｇＮＢ５と信号の送受信を行うように動作可能である送受信機回路３５１を備える。ネットワークインターフェース３５５は、通常、コアネットワークと通信するためのＳ１のようなインターフェースと、他のｇＮＢと通信するための（例えば、Ｘ２のような）ｇＮＢからｇＮＢへのインターフェースを備える。コントローラ３５７は、メモリ３５９に格納されているソフトウェアに従って送受信機回路３５１の動作を制御する。ソフトウェアは、特に、オペレーティングシステム３６１、通信制御モジュール３６３、及びネットワークスライス／テナント管理モジュール３６４を含む。
【００７１】
通信制御モジュール３６３は、ｇＮＢ５−１と、ＵＥ３及びｇＮＢ５−１に接続されている他のネットワークエンティティとの間の通信を制御するように動作可能である。通信制御モジュール３６３はまた、アップリンク及びダウンリンクのユーザトラフィックの別個のフロー及び、例えば、ＵＥ３の動作を管理するための制御データを含む、ｇＮＢ５−１によってサービス提供される通信デバイスに送信される制御データを制御する。通信制御モジュール３６３は、例えば、測定制御／設定情報、システム情報の通信、ランダムアクセスチャネル（ＲＡＣＨ）手順におけるｇＮＢのパート等の制御手順を担っている。通信制御モジュール３６３はまた、近隣ｇＮＢとの、ｇＮＢからｇＮＢへのインターフェースのセットアップ、設定、及び再設定におけるｇＮＢ側の管理を担っている。通信制御モジュール３６３はまた、（適用可能な場合に）ハンドオーバー意思決定、ターゲット選択等を含む、ｇＮＢ側のハンドオーバーの管理を担っている。通信制御モジュール３６３はまた、アクセス禁止パラメータの設定／再設定、コアネットワークによって開始される過負荷手順（core network initiated overload procedures）の実施及び終了、他のノード（例えば、その他のｇＮＢ）への負荷／輻輳情報の提供等の、過負荷／輻輳の制御におけるｇＮＢ側の管理を担っている。通信制御モジュール３６３はまた、関連するカウンターを実施し、情報をコアネットワークに提供するための、ＵＥのデータ使用量の監視及び測定を担っている。
【００７２】
ネットワークスライス／テナント管理モジュール３６４は、各サービス／テナントに対し、ｇＮＢ５−１を介して利用可能な、多様な無線アクセスネットワーク（ＲＡＮ）スライスを規定するための設定データ３６５を格納及び管理するように動作可能である。
【００７３】
分散基地局（ｇＮＢ）
図４は、図１に示すタイプの分散型ｇＮＢ５−２の主要構成要素を示すブロック図である。図示されているように、ｇＮＢ５−２は分散ユニット５−２ａと中央ユニット５−２ｂとを備える。各ユニット５−２ａ、５−２ｂはそれぞれの送受信機回路４５１ａ、４５１ｂを備える。分散ユニット５−２ａの送受信機回路４５１ａは、１つ又はそれ以上のアンテナ４５３ａを介してＵＥ３と信号の送受信を行うように動作可能であり、インターフェース４５４ａを介して中央ユニット５−２ｂと信号を送受信するように動作可能である。
【００７４】
中央ユニット５−２ｂの送受信機回路４５１ｂは、ネットワークインターフェース４５５ｂを介してコアネットワーク７の機能及び／又は他のｇＮＢ５と信号を送受信するように動作可能である。ネットワークインターフェース４５５ｂは、通常、コアネットワークと通信するためのＳ１のようなインターフェースと、他のｇＮＢとの通信のための（例えば、Ｘ２のような）ｇＮＢからｇＮＢへのインターフェースとを備える。中央ユニット５−２ｂの送受信機回路４５１ｂはまた、インターフェース４５４ｂを介して１つ又はそれ以上の分散ユニット５−２ｂと信号の送受信を行うように動作可能である。
【００７５】
各ユニット５−２ａ、５−２ｂは、それらのそれぞれのメモリ４５９ａ、４５９ｂに格納されたソフトウェアに従って、対応する送受信機回路４５１ａ、４５１ｂの動作を制御する、それぞれのコントローラ４５７ａ、４５７ｂを備える。各ユニットのソフトウェアは、特に、それぞれのオペレーティングシステム４６１ａ、４６１ｂ、それぞれの通信制御モジュール４６３ａ、４６３ｂ、それぞれのネットワークスライス／テナント管理モジュール４６４ａ、４６４ｂ、及びそれぞれのＤＵ／ＣＵ機能的分割管理モジュール４６７ａ、４６７ｂを備える。
【００７６】
各通信制御モジュール４６３ａ、４６３ｂは、１つのユニットから他のユニットへの通信を含む、それの対応するユニット５−２ａ、５−２ｂの通信を制御するように動作可能である。分散ユニット５−２ａの通信制御モジュール４６３ａは分散ユニット５−２ａとＵＥ３との間の通信を制御し、中央ユニット５−２ｂの通信制御モジュール４６３ｂは中央ユニット５−２ｂとｇＮＢ５−２に接続されている他のネットワークエンティティとの間の通信を制御する。
【００７７】
通信制御モジュール４６３ａ、４６３ｂはまた、アップリンク及びダウンリンクのユーザトラフィック及び、例えば、ＵＥ３の動作を管理するための制御データを含む、ｇＮＢ５−２によってサービス提供される通信装置に送信される制御データのフローにおける、分散ユニット５−２ａと中央ユニット５−２ｂによって行われる部分をそれぞれ制御する。各通信制御モジュール４６３ａ、４６３ｂは、例えば、測定制御／設定情報、システム情報の通信、ランダムアクセスチャネル（ＲＡＣＨ）手順におけるｇＮＢのパート等の手順における、分散ユニット５−２ａ及び中央ユニット５−２ｂによって行われる、それぞれの部分の制御を担っている。各通信制御モジュール４６３ａ、４６３ｂはまた、例えば、近隣ｇＮＢとの、ｇＮＢからｇＮＢへのインターフェースのセットアップ、設定、及び再設定におけるｇＮＢ側の管理における、分散ユニット５−２ａ及び中央ユニット５−２ｂによって行われる、それぞれの部分の制御を担っている。各通信制御モジュール４６３ａ、４６３ｂはまた、（適用可能な場合に）ハンドオーバー意思決定、ターゲット選択等を含む、ｇＮＢ側ハンドオーバーの管理における、分散ユニット５−２ａ及び中央ユニット５−２ｂによって行われる、それぞれの部分の制御を担っている。各通信制御モジュール４６３ａ、４６３ｂはまた、例えば、アクセス禁止パラメータの設定／再設定、コアネットワークによって開始される過負荷手順の実施及び終了、他のノード（例えば、その他のｇＮＢ）への負荷／輻輳情報の提供等の、過負荷／輻輳の制御におけるｇＮＢ側の管理において、分散ユニット５−２ａ及び中央ユニット５−２ｂによって行われる、それぞれの部分の制御を担っている。各通信制御モジュール４６３ａ、４６３ｂはまた、例えば、関連するカウンターを実施し、情報をコアネットワークに提供するための、ＵＥのデータ使用量の監視及び測定における、分散ユニット５−２ａ及び中央ユニット５−２ｂによって行われる、それぞれの部分の制御を担っている。
【００７８】
各ネットワークスライス／テナント管理モジュール４６４ａ、４６４ｂは、各サービス／テナントに対し、ｇＮＢ５−１を介して利用可能な多様な無線アクセスネットワーク（ＲＡＮ）スライスを規定するための設定データの格納及び管理において、分散ユニット５−２ａ及び中央ユニット５−２ｂによって行われる、それぞれの部分を実行するように動作可能である。
【００７９】
各ＤＵ／ＣＵ機能的分割管理モジュール４６７ａ、４６７ｂは、分散ユニット５−２ａと中央ユニット５−２ｂとの間の機能的分割の管理、設定、及び再設定において、分散ユニット５−２ａ及び中央ユニット５−２ｂによって行われる、それぞれの部分を担っている。
【００８０】
モビリティ管理機能
図５はモビリティ管理機能７−３（例えば、モビリティ管理エンティティ（ＭＭＥ））を提供するコアノード７の主要構成要素を示すブロック図である。コアノード７−３は、ネットワーク５７５を介してｇＮＢ５及び／又は他のノード（例えば、他のコアネットワーク機能を提供する他のコアノード）と信号の送受信を行うように動作可能な送受信機回路５７１を備える。コントローラ５７７は、メモリ５７９に格納されているソフトウェアに従って送受信機回路５７１の動作を制御する。ソフトウェアは、特に、オペレーティングシステム５８１、通信制御モジュール５８３、モビリティ管理モジュール５８４、及び過負荷制御モジュール５８５を含む。
【００８１】
通信制御モジュール５８３は、コアノード７−３と、コアノードへ７−３に（直接又は間接的に）接続されている他のネットワークエンティティ（例えば、ｇＮＢ及び他のネットワーク機能を提供する他のコアノード）との間の直接的及び／又は間接的な通信を制御するように動作可能である。
【００８２】
モビリティ管理モジュール５８４は、例えば、アクセスネットワークに対する制御、アイドルモードのＵＥのページング、ベアラー起動／停止機能、初期接続時及びコアノード再配置を伴うハンドオーバー時のＵＥに対する適切なコアノード７（例えば、サービングゲートウェイ及び／又はＴＵＰＦ）の選択等を含む、コアノード７のモビリティ管理機能性の提供を担っている。モビリティ管理モジュール５８４はまた、ユーザの認証、非アクセス層（ＮＡＳ）シグナリングの終了、ＵＥへの一時的な識別の生成及び割り当て、及び他の同様な機能を担っている。
【００８３】
過負荷制御モジュール５８５は、過負荷状況の発生及び終了の検出、ｇＮＢにおける過負荷動作を開始及び終了のためのメッセージの送信等を含む、コアネットワークノードでのコアネットワークにおける過負荷状況の管理を担っている。
【００８４】
ポリシー／課金制御機能
図６は、ポリシー／課金制御機能７−４を提供するコアノード７の主要構成要素を示すブロック図である。コアノード７−４は、ネットワークインターフェース６７５を介してｇＮＢ５及び／又は他のノード（例えば、他のコアネットワーク機能を提供する他のコアノード）と信号を送受信するように動作可能な送受信機回路６７１を備える。コントローラ６７７は、メモリ６７９に格納されているソフトウェアに従って送受信回路６７１の動作を制御する。ソフトウェアは、特に、オペレーティングシステム６８１、通信制御モジュール６８３、及びポリシー／課金制御モジュール６８４を含む。
【００８５】
通信制御モジュール６８３は、コアノード７−４と、コアノードへ７−４に（直接又は間接的に）接続されている他のネットワークエンティティ（例えば、ｇＮＢ及び／又は他のネットワーク機能を提供する他のコアノード）との間の直接的及び／又は間接的な通信を制御するように動作可能である。
【００８６】
ポリシー／課金制御モジュール６８４は、特定のテナント及び／又はスライスタイプに対する、複数のｇＮＢｓからの、データ使用量の統計の蓄積を含む課金制御機能の提供を担っている。ポリシー／課金制御モジュール６８４は、テナント毎の、異なるスライスタイプベースの課金等の、累積データ使用量統計に基く課金機能を実行する。
【００８７】
ＤＵ／ＣＵ機能的分割管理機能
図７は、分散ｇＮＢ５−２において、（実装されている場合に）コアネットワークベースの動的機能的分割管理を提供するためのＤＵ／ＣＵ機能的分割管理機能７−５を提供するコアノード７の主要構成要素を示すブロック図である。コアノード７−５は、ネットワークインターフェース７７５を介してｇＮＢ５及び／又は他のノード（例えば他のコアネットワーク機能を提供する他のコアノード）と信号を送受信するように動作可能な送受信機回路７７１を備える。コントローラ７７７は、メモリ７７９に格納されているソフトウェアに従って送受信回路７７１の動作を制御する。ソフトウェアは、特に、オペレーティングシステム７８１、通信制御モジュール７８３、及びＤＵ／ＣＵ機能的分割管理モジュール７８４を含む。
【００８８】
通信制御モジュール７８３は、コアノード７−５と、コアノードへ７−５に（直接又は間接的に）接続されている他のネットワークエンティティ（例えば、ｇＮＢ及び／又は他のネットワーク機能を提供する他のコアノード）との間の直接的及び／又は間接的な通信を制御するように動作可能である。
【００８９】
ＤＵ／ＣＵ機能的分割管理モジュール７８４は、図４を参照して説明されたタイプの分散ｇＮＢ５−２のＤＵ／ＣＵ機能的分割の管理の提供を担っている。ＤＵ／ＣＵ機能的分割管理モジュール７８４は、（実施されている場合に）任意のＵＥ３、該ＵＥ３が属するテナント、及び／又は該ＵＥ３が使用を望んでいるスライスに対する最適な機能的分割の決定を含む、コアネットワークベースの動的機能的分割の管理のサポートを提供する。この決定は、通常、優勢的なチャネル状態、負荷状態、及び／又はサービス要求の品質を考慮に入れてなされるだろう。
【００９０】
以上の説明において、携帯電話、ＵＥ、ｇＮＢｓ、及びコアネットワーク機能を実現するコアネットワークノードは、理解を容易にするために、複数の別個のモジュールを有するとして説明されてきた。これらのモジュールは、例えば、本発明を実施するために既存のシステムを変更する場合等の特定の用途に対しては、上記の様式で提供されてもよい。これに対し、他の用途において、例えば、本発明の特徴を念頭に置いて設計したシステムにおいては、これらのモジュールは、それらが別個のエンティティとして認識されない様式で、全体的なオペレーティングシステム又はコードに組み込まれてもよい。これらのモジュールは、ソフトウェア、ハードウェア、ファームウェア、又はこれらの組み合わせで実施されてもよい。
【００９１】
ここで、例として複数の手順を説明するが、それらは複数の長所を有する効率的なスライシングメカニズムの提供を支援するために実施されてもよい。なお、これらの手順は、それぞれが単独で実施された場合に独立して技術的利益をもたらすことができるが、これらの手順は任意の組み合わせで実施されてもよい。
【００９２】
＜テナントに対するセルのサポート及び／又はテナントに関連付けられたスライスタイプ＞
図８は、ユーザ機器が特定のセル内のテナントＩＤ及び／又はスライスタイプのサポートを認識することを可能にするために、図１の電気通信システムの基地局とユーザ機器との間で実行される手順を示す。
【００９３】
図８に示されているように、ｇＮＢ５が（それぞれのテナント識別子によって示される）１つ又はそれ以上のテナント、１つ又はそれ以上のテナントによって運用される１つ又はそれ以上の特定のスライスタイプ、及び／又は１つ又はそれ以上のＴＵＰＦをサポートするためにセルを設定するとき、あるいは、ｇＮＢ５がサポートされるテナント、１つ又はそれ以上のテナントによって運用される特定のスライスタイプ、及び／又はＴＵＰＦを変更するためにセルを動的に設定するときに、図示される手順は、ステップＳ８００で開始される。なお、テナントＩＤ、テナントＩＤ毎のスライスタイプ、及び／又はＴＵＰＦのサポートは、限定ではないが、事業者の要求、及び現在の、過去の、又は予測された需要を含む複数の異なる要因に基づいて動的に変更することができる。
【００９４】
ｇＮＢ５は、それが運用する各セルに、マスター情報ブロック（ＭＩＢ（Master Information Block））及び複数のシステム情報ブロック（ＳＩＢ（System Information Block））の形式でシステム情報を定期的に一斉放送する。各ＳＩＢは、ＵＥ３がそのセル内で通信するために必要となる可能性がある情報、及び／又はＵＥ３が、近隣のｇＮＢ５に一斉放送を実行しているｇＮＢ５について知らせるために、近隣のｇＮＢ５へ提供するために取得する可能性がある情報を含む。
【００９５】
例として、ＬＴＥ（Long-Term Evolution）ベースの通信システム（図１の通信システムはこれの発展であってもよい）においては、通常、ＭＩＢは、特に、他のＳＩＢのスケジューリング情報を含み、ＳＩＢ１は、特に、セルアクセス関連情報を含み、ＳＩＢ２は、特に、無線リソース設定情報、禁止情報、及び共通チャネルの無線リソース設定を含み、ＳＩＢ３は、特に、周波数内、周波数間、及び／又はＲＡＴ間のセル再選択に共通のセル再選択情報を含み、ＳＩＢ４は、特に、周波数内セル再選択のための近隣セル関連情報、及び周波数内ブラックリストセルリストを含み、ＳＩＢ５は、特に、Ｅ−ＵＴＲＡＮ（Evolved Universal Terrestrial Radio Access Network）固有周波数間近隣セル関連情報、及びＥ−ＵＴＲＡＮ固有周波数間ブラックリストセルリストを含み、ＳＩＢ６及びＳＩＢ７は、特に、（ＵＴＲＡＮ、ＧＥＲＡＮ、ＣＤＭＡ２０００等の）それぞれの異なる無線アクセス技術に対する無線アクセスネットワークへのセル再選択に関する情報を含む。なお、上述の内容は上記のＳＩＢの選択を表しているに過ぎず、通常、技術及び要求に応じてセル内で他の多くのＳＩＢが一斉放送されてもよい。
【００９６】
図８の手順において、ステップＳ８０４で、ｇＮＢ５が、次にシステム情報を一斉放送するとき、システム情報は、ｇＮＢによって運用されるセルによってサポートされるテナントＩＤ、テナントＩＤ毎のスライスタイプ、及び／又はＴＵＰＦを識別する情報を含むように構成されたシステム情報ブロック（例えば、ＳＩＢ２）を含む。
【００９７】
ステップＳ８０２で示されているように、ＵＥ３はｇＮＢ５から与えられるシステム情報の定期的な一斉放送に注意を傾け、それにより、ステップＳ８０４で、ｇＮＢ５がシステム情報を一斉放送したときに、ＵＥ３は、サポートされているテナントＩＤ、テナントＩＤ毎のスライスタイプ、及び／又はＴＵＰＦを識別する情報を含むシステム情報ブロックを受信する。
【００９８】
なお、図８に示した手順においては、特定の時点で示されているが、ＵＥ３のシステム情報の注視は、該ＵＥ３がオンにされている間、それが定期的に実行し続ける継続的なプロセスである。
【００９９】
したがって、ステップＳ８０６において、ＵＥ３は、ｇＮＢのセルがそれの所望のテナントＩＤ、テナントＩＤ毎のスライスタイプ、及び／又はＴＵＰＦをサポートしているかどうかを確認することができる。ＵＥ３は、多次元記述子（ＭＤＤ）、ＵＥの能力、ＵＳＩＭ設定、及び／又は動的に設定されるＮＡＳにおいて特定のテナントＩＤ及び／又はスライス（タイプ）が示されているかどうかに基づいて、上述の確認をすることができる。
【０１００】
セルがＵＥ３のテナントＩＤ及び／又はＵＥ３が使用しようしているテナントＩＤ内の特定のスライスタイプをサポートしている場合、ＵＥ３はステップＳ８０８で該セルへの在圏（キャンプオン）を決定することができる。
【０１０１】
なお、上述の手順は、例えば、ＵＥ３がネットワークへの初期アクセスの目的のため、又はサービス要求をする目的のため等の何らかの理由で任意のセルに在圏するかどうかを決定する場合に、該ＵＥ３によって使用されてもよい。
【０１０２】
セルがＵＥ３のテナントＩＤ及び／又はＵＥ３が使用しようしているテナントＩＤ内の特定のスライスタイプをサポートしていない場合、ＵＥ３はステップＳ８１０で該セルへ在圏しないことを決定することができる。
【０１０３】
＜テナント／スライス優先順位付け＞
図９は、ランダムアクセスチャネル手順の際にＵＥ３の特定のセルへの接続の試みの初期段階にテナント及び／又はスライスタイプに対する異なる優先順位付けを行うために、図１の電気通信システムの基地局とユーザ機器との間で実行される手順を示す。
【０１０４】
図９に示されているように、図示の手順は、システム情報が（例えば、図８への参照とともに言及されたシステム情報の定期的な一斉放送の一部として）ｇＮＢ５によって運用されるセル内で一斉放送されたときに、ステップＳ９００で開始される。図９の手順において、ｇＮＢ５がステップＳ９００でシステム情報を一斉放送するとき、システム情報は、テナントＩＤ固有パラメータ及び／又はスライスタイプ固有パラメータを含むように構成されたシステム情報ブロック（例えば、ＳＩＢ２）を含む。したがって、各テナントＩＤ及び／又は特定のテナントＩＤに関連付けられた各スライスタイプに対して、それぞれの異なるパラメータを設定することができる。
【０１０５】
この例では、各テナントＩＤ及び／又は特定のテナントＩＤに関連付けられた各スライスタイプに、それぞれの異なるＲＡＣＨプリアンブルが関連付けられている。したがって、本質的には、ＲＡＣＨプリアンブルはテナントＩＤ及び／又はテナントＩＤ内のスライスタイプ毎に「スライス」される。これらのＲＡＣＨプリアンブルの各々は、対応するテナント及び／又はスライスタイプの通信が扱われるべき優先順位を表す、それぞれの優先順位を有する。
【０１０６】
この例では、ステップＳ９００においてシステム情報に与えられたテナントＩＤ固有パラメータ及び／又はスライスタイプ固有パラメータは、各テナントのＩＤ及び／又は特定のテナントＩＤに関連付けられた各スライスタイプに関連付けられた、それぞれのＲＡＣＨプリアンブルを識別するパラメータを含む。
【０１０７】
ステップＳ９０２に示されているように、ＵＥ３はｇＮＢ５から与えられるシステム情報の定期的な一斉放送に注意を傾け、それにより、ｇＮＢ５がステップＳ９００でシステム情報を一斉放送したときに、ＵＥ３はテナントＩＤ固有パラメータ及び／又はスライスタイプ固有パラメータを含む、システム情報ブロックを受信する。
【０１０８】
なお、図９に示した手順においては、特定の時点で示されているが、ＵＥ３のシステム情報の注視は、該ＵＥ３がオンにされている間、それが定期的に実行し続ける継続的なプロセスである。
【０１０９】
ＵＥ３が（例えば、セルへの初期アクセス、接続確立、ハンドオーバー等を容易にするために）ＲＡＣＨ手順を開始する必要があると決定したとき、該ＵＥ３は、ステップＳ９０４において、それが属するテナントＩＤ及び／又はそれが使用しようとしているスライスタイプのために使用される正しいプリアンブルを識別する。この識別は、システム情報の一斉放送で与えられるパラメータ、及び／又は多次元記述子（ＭＤＤ）で表されるテナントＩＤ及び／又は関連するスライスタイプとの関連で、各テナントＩＤ及び／又は特定のテナントＩＤに関連付けられた各スライスタイプに関連付けられた、それぞれのＲＡＣＨプリアンブルを識別するＵＳＩＭ及び／又ＭＤＤに予め設定されたパラメータに基づいて行うことができる。
【０１１０】
そして、ＵＥ３は、ランダムアクセスチャネルを要求するためにＲＡＣＨ手順のメッセージ１（例えば、ＲＡＣＨ要求）を生成する。このメッセージは（例えば、選択されたランダムアクセスプリアンブルに一意的に関連付けられたインデックスの形式で）選択されたランダムアクセスプリアンブルを識別する情報を含む。ステップＳ９０６において、選択されたランダムアクセスプリアンブルを識別する情報を含むメッセージはｇＮＢ５に送られる。
【０１１１】
ｇＮＢ３は、ＵＥ３に関連付けられたランダムアクセス無線ネットワーク一時識別（ＲＡ−ＲＮＴＩ（Random Access Radio Network Temporary Identity））及びプリアンブルが送られるタイムスロットの番号を決定する。
【０１１２】
そして、ｇＮＢ５は、ステップＳ９０８において、ＲＡＣＨ手順のメッセージ１で識別されたプリアンブル及び該プリアンブルに関連付けられた相対的優先順位に基づいて、（例えば、他のＵＥとの通信に対して）ＵＥ３の通信を優先順位付けする。したがって、実際には、ｇＮＢ５は、それがＲＡＣＨメッセージ１を受信したときに、異なるプリアンブルを異なる優先順位で扱うことになるだろう。
【０１１３】
ＲＡＣＨ要求を受信した後、ｇＮＢはＲＡＣＨ手順が成功した後に（Ｃ−ＲＮＴＩのように）恒久的な識別となる、一時的な識別（一時的なセルＲＮＴＩ−ＴＣ−ＲＮＴＩ）をＵＥ３に割り当て、次のＵＥメッセージが正しいタイミングで送受信されることを保証するために使用される、適切なタイミングアドバンスを算出する。ｇＮＢ５はまた、アップリンクリソースを割り当てる。
【０１１４】
ｇＮＢ５は、ＵＥ３がメッセージ３（例えば、ＲＲＣ接続要求等のレイヤ３メッセージ）を適切な時間に送信するのに必要な情報を含む、適切なランダムアクセス応答（ＲＡＲ（Random Access Response））メッセージ（メッセージ２）を生成する。そして、ステップＳ９１０において、このメッセージはＵＥ３に送られる。ＲＡＲメッセージは通常、少数の送信時間間隔（ＴＴＩ）の時間ウィンドウ内に物理ダウンリンク制御チャネル（ＰＤＣＣＨ（Physical Downlink Control Channel））上で送られる。初期アクセスの目的のために、ＲＡＲメッセージは、通常、ランダムアクセスプリアンブル識別子、タイミング調整情報、初期ＵＬ許可（グラント）、及び一時的Ｃ−ＲＮＴＩの割り当てを運んでもよい。
【０１１５】
なお、図９には示されていないが、ＵＥ３がネットワークからＲＡＲメッセージを受信しない場合、該ＵＥ３は固定されたステップでその電力を増加し、ＲＡＣＨプリアンブルを再度送る。
【０１１６】
ＵＥ３は、ステップＳ９１２で、適切なメッセージ３（例えば、適切なレイヤ３メッセージ）によってＲＡＲメッセージに応答する。
【０１１７】
なお、上述のＲＡＣＨ手順をサポートするテナント／スライスタイプの優先順位付けは、図１の電気通信システム１で起こり得る、多数の異なる状況の最中に行われてもよい。ＲＡＣＨ手順は、例えば、ＵＥ３がＲＲＣアイドル状態でネットワークにアクセスしようとしているときの初期アクセス手順中、ＲＲＣ接続（再）確立手順中、ハンドオーバー手順中、アップリンクの同期が失われたとき（例えば、ネットワークが特定の期間にアップリンクにおいてＵＥ３から何も受信しなかったとき）、ＵＥ３がＳＲ（Scheduling Request）に利用可能な物理アップリンク制御チャネル（ＰＵＣＣＨ）リソースを全く有さないとき、及びＵＥに対するＲＲＣ接続状態における位置決め目的のためにタイミングアドバンスが必要とされるときに実行されてもよい。
【０１１８】
例えば：ＲＡＣＨ手順が初期アクセス（又はＲＲＣ接続確立）の目的のためである場合、メッセージ３はＲＲＣ接続要求メッセージであってもよい。ＲＡＣＨ手順がＲＲＣ接続再確立の目的のためである場合、メッセージ３はＲＲＣ接続再確立メッセージであってもよい。ＲＡＣＨ手順がＲＡＣＨを必要とするハンドオーバータイプの手順の目的のためである場合、メッセージ３はＲＲＣ接続再設定完了メッセージであってもよい。
【０１１９】
この例において、ＲＡＣＨ手順は、異なるテナント及び／又はスライスタイプに対する通信の優先的な又は異なる処理を可能にするために、テナント毎及び／又は（特定のテナントに対する）スライスタイプ毎に複数の他のパラメータを提供するために都合よく使用することもできる。
【０１２０】
以下のパラメータは、例えば、プリアンブル情報に加えて（又は、それの代わりに）、（例えば、ＳＩＢ２において）システム情報においてテナントＩＤ毎／スライスタイプ毎に設けられていてもよい。
【０１２１】
PreambleInitialReceivedTargetPower：このパラメータは、ｇＮＢ５がＲＡＣＨ手順中にＲＡＣＨ要求の最初の送信を受信するときに望む目標電力レベルを表す。デフォルト値は、通常、−１０４ｄＢｍであるが、２ｄＢｍのステップサイズで、（通常）−１２０ｄＢｍから−９０ｄＢｍの範囲の値をとる。このパラメータは、ＵＥ３が属するテナントＩＤ及び／又はＵＥ３がテナントＩＤ内で使用することを望むスライスタイプに基づいて変化してもよい。
【０１２２】
PowerRampingStep：このパラメータは、後続の各ＲＡＣＨ要求を送信するときにＵＥ３によって使用される電力増分を表す。このパラメータは、異なるテナントＩＤに属する（又は異なるスライスタイプを使用する）異なるＵＥが後続のＲＡＣＨ要求を送信するために異なる電力ステップを使用することができるように、ＵＥ３が属するテナントＩＤ及び／又はＵＥ３がテナントＩＤ内で使用することを望むスライスタイプに基づいて変化してもよい。したがって、実際には、特定のテナントＩＤに属する（又は特定のスライスタイプを使用する）ＵＥの後続のＲＡＣＨ要求がｇＮＢ５によって受信される可能性を高めるために、小さめの電力ステップを有するＵＥに比べて、大きめの電力ステップが使用されてもよい。
【０１２３】
prach-ConfigIndex：このパラメータは、ＵＥが周波数／時間の碁盤目において、いつＲＡＣＨを送るか（どのサブフレーム）を正確に定義する。このパラメータもまた、異なるテナントＩＤに属する（又は異なるスライスタイプを使用する）異なるＵＥがＲＡＣＨ要求を送信するために異なるサブフレーム（例えば、２又は７）を使用することができるように、ＵＥ３が属するテナントＩＤ及び／又はＵＥ３がテナントＩＤ内で使用することを望むスライスタイプに基づいて変化してもよい。
【０１２４】
prach-FreqOffset：ＰＲＡＣＨ周波数オフセットパラメータは、ＵＥ３及び他の近隣セルに、ＲＡＣＨアクセスに対してどのリソース（物理リソースブロック）が利用可能であるかについて知らせるために使用される。このパラメータもまた、異なるテナントＩＤに属する（又は異なるスライスタイプを使用する）異なるＵＥがＲＡＣＨアクセスのために異なる周波数リソースを使用することができるように、ＵＥ３が属するテナントＩＤ及び／又はＵＥ３がテナントＩＤ内で使用することを望むスライスタイプに基づいて変化してもよい。
【０１２５】
ra-ResponseWindowSize：ＲＡ応答ウィンドウサイズパラメータは、サブフレーム単位（例えば、２、３、４、５、６、７、８、又は１０サブフレーム）でランダムアクセス応答ウィンドウの持続時間を表す。このパラメータはテナントＩＤ及び／又はスライスタイプに対して変化してもよい。さらに、ネットワークがＲＡＣＨ応答を送信できる最も早い時間（すなわち、ＲＡＲ応答ウィンドウの開始）は、（例えば、テナントＩＤ／スライスタイプベースのプリアンブルを考慮に入れるために）テナントＩＤ／スライスタイプに応じて変化してもよい。通常、ＲＡＲ応答ウィンドウはＲＡＣＨプリアンブルの３サブフレーム後に始まる。
【０１２６】
preambleTransMax：このパラメータは、プリアンブル送信の最大数（通常可能な値は３、４、５、６、７、８、１０、２０、５０、１００、２００）を定義する。このパラメータは、異なるテナント／スライスタイプに対して異なる送信の試行の回数を可能にするために、異なるテナントＩＤ及び／又はスライスタイプに対して変化してもよい。
【０１２７】
同様に、いくつかのパラメータは、例えば、ＲＡＣＨ手順の他のメッセージにおいてテナントＩＤ毎／スライスタイプ毎に設けられていてもよい。例えば、通常、ＲＡＲのメディアアクセス制御プロトコルデータユニット（ＭＡＣ  ＰＤＵ（Media Access Control Protocol Data Unit））に含まれるバックオフインジケータは、優先順位付けの目的のために異なるテナントＩＤ及び／又はスライスタイプに対して変化してもよい。バックオフインジケータは、後続のＲＡＣＨの試行の間の時間遅延を示すパラメータを運ぶ特別なＭＡＣサブヘッダである。
【０１２８】
なお、ＲＡＲ（メッセージ２）及びメッセージ３の、それぞれの優先的な取り扱いを可能にするために、同様の方法で、物理ダウンリンク共有チャネル（ＰＤＳＣＨ（Physical Downlink Shared Channel））、物理上りリンク共有チャネル（ＰＵＳＣＨ（Physical Uplink Shared Channel））等の他の物理チャネルを「スライス」することができる。
【０１２９】
また、同様に、（ＲＡＣＨとは関係ないが）優先的な取り扱いのために、ページングチャネル（ＰＣＨ（Paging Channel））、物理ダウンリンク共有チャネル（ＰＤＳＣＨ）、物理ダウンリンク制御チャネル（ＰＤＣＣＨ（Physical Downlink Control Channel））、物理アップリンク制御チャネル（ＰＵＣＣＨ（Physical Uplink Control Channel））等の、他の物理チャネルが「スライス」されてもよい。
【０１３０】
また、（例えば、プリアンブルがスライスされていない場合）ＲＡＣＨは優先順位付けされた処理のための容易なテナントの識別のために（ＵＭＴＳにおけるメッセージのような）ＲＲＣメッセージを含むことができる。
【０１３１】
図１０は、図９の手順又は同様の手順を実施する際に、図１の電気通信システムのユーザ機器の無線リソース制御層、メディアアクセス制御層、物理層の間で、内部で実行される手順を示す。
【０１３２】
図１０に示されているように、手順は、ＵＥ３内の無線リソース制御（ＲＲＣ）エンティティ２４７がＲＡＣＨ手順をトリガするためにＵＥＭＡＣエンティティ２４９に要求を送ったときに、ステップＳ１０００で開始される。
【０１３３】
ステップＳ１００２において、ＵＥＭＡＣエンティティ２４９は、ＵＥ３が属する任意のテナントＩＤ及び／又はＵＥ３が使用しようとするスライスタイプに対して、システム情報ブロック及び／又はＭＤＤ／ＵＳＩＭ設定情報から、正しいサブフレーム、プリアンブル及び（図９を参照して言及したパラメータのうちのいずれか等の）他のパラメータを識別する。
【０１３４】
そして、ＵＥＭＡＣエンティティ２４９は、ステップＳ１００４において、許可されたプリアンブルインデックス、ｒａ-ＲＮＴＩ及びプリアンブル送信のために使用される電力を計算する。これらの値は、ステップＳ１００６において、ＵＥ３が属するテナントのテナントＩＤ、スライスタイプ、ＭＤＤ、ＵＥの能力等に基づいてＲＡＣＨ要求の送信が実行されなければならないＲＡＣＨサブフレームと共に、ＵＥＰＨＹエンティティ２５１に指示される。
【０１３５】
そして、ＵＥＰＨＹ２５１はステップＳ１００８でＲＡＣＨ要求を送信する。
【０１３６】
＜接続モードモビリティに対するサポート＞
図１１（ａ）〜（ｅ）は、ネットワークスライシングのコンテキストにおいて接続モードモビリティをサポートするために図１の電気通信システムに示されるタイプの基地局間で実行される複数の手順を示す。より具体的には、図１１（ａ）〜（ｅ）は、ハンドオーバーの意思決定をサポートするための様々なｇＮＢ間テナントＩＤ及びスライスタイプリソース情報交換手順を示す。図１１（ａ）及び（ｂ）は、近隣ｇＮＢ５が、各近隣ｇＮＢ５によってどのテナントＩＤとスライスタイプがサポートされているかを認識することを可能にするための手順を示している。図１１（ｃ）〜（ｅ）は、近隣ｇＮＢ５が、各テナント及び（テナントＩＤ内の）スライスタイプの負荷状態、並びに各近隣ｇＮＢ５のＴＵＰＦを認識することを可能にするための手順を示している。なお、これらの手順は単独で、又は技術的に適当に組み合わせて実施されてもよい。
【０１３７】
図１１（ｆ）は、図１１（ａ）〜（ｅ）に示す手順の１つ又はそれ以上において交換される情報に基づいてハンドオーバーを開始するための手順を示しいている。
【０１３８】
図１１（ａ）及び（ｂ）を参照すると、近隣ｇＮＢ５が、各近隣ｇＮＢ５によって、どのテナントＩＤとスライスタイプがサポートされているかを認識することを可能にするための情報は近隣のｇＮＢ５間のインターフェースの確立時、及び／又は近隣のｇＮＢ間の設定の更新時に交換されてもよい。
【０１３９】
図１１（ａ）に示すように、例えば、近隣のｇＮＢ（Ａ）とｇＮＢ（Ｂ）との間の設定の更新時、ｇＮＢ（Ａ）は、ステップＳ１１００で、ｇＮＢ（Ａ）とｇＮＢ（Ｂ）との間の（例えば、Ｘ２インターフェースに類似の）ｇＮＢからｇＮＢへのインターフェースのセットアップを開始するために、インターフェースセットアップ要求メッセージをｇＮＢ（Ｂ）に送る。インターフェースセットアップ要求メッセージは、ｇＮＢ（Ａ）によってサポートされるテナントＩＤ及び／又は（テナントＩＤ毎の）スライスタイプを識別する情報を含む。ｇＮＢ（Ｂ）は、ステップＳ１１０２において、適切なインターフェースセットアップ応答メッセージによって応答する。インターフェースセットアップ応答メッセージは、ｇＮＢ（Ｂ）によってサポートされるテナントＩＤ及び／又は（テナントＩＤ毎の）スライスタイプを識別する情報を含む。
【０１４０】
図１１（ｂ）に示されているように、近隣のｇＮＢ（Ａ）とｇＮＢ（Ｂ）との間の設定の更新時、ｇＮＢ（Ａ）は、ステップＳ１１０４で、テナントＩＤ及び／又は（テナントＩＤ毎の）スライスタイプの変更されたサポートについてｇＮＢ（Ｂ）を更新するために、ｇＮＢ設定更新メッセージをｇＮＢ（Ｂ）に送る。ｇＮＢ設定更新メッセージは、ｇＮＢ（Ａ）によって、現時点でサポートされているテナントＩＤ及び／又は（テナントＩＤ毎の）スライスタイプを識別する情報を含む。ｇＮＢ（Ｂ）は、ステップＳ１１０６で、更新された情報の安全な受信を確認するための適切なｇＮＢ設定更新確認応答メッセージによって応答する。
【０１４１】
図１１（ｃ）〜（ｅ）を参照すると、近隣ｇＮＢ５が、各テナント及び（テナントＩＤ内の）スライスタイプの負荷状態、並びに各近隣ｇＮＢ５のＴＵＰＦを認識することを可能にするための情報は、定期的な時間間隔で、及び／又は、例えば、負荷指示手順（load indication procedure）、リソース状態報告開始手順（resource status reporting initiation procedure）、（Ｘ２ＡＰリソース状態報告手順に類似の）非請求リソース状態報告手順（unsolicited resource status reporting procedure）等の手順でトリガされたときに交換されてもよい。
【０１４２】
図１１（ｃ）は、例えば、ｇＮＢ（Ａ）が、ステップＳ１１０８において、ｇＮＢ（Ｂ）に、各テナントＩＤ、（テナントＩＤ内の）スライスタイプ、及び／又は該ｇＮＢ（Ａ）に関連付けられたＴＵＰＦの負荷状態（例えば、ＵＬ／ＤＬ物理リソースブロック使用量）について知らせるために、負荷情報メッセージをｇＮＢ（Ｂ）に送る、負荷指示手順を示している。負荷情報メッセージは、予め決められた規則的な間隔で、及び／又は必要に応じてイベントによってトリガされたときに送られるメッセージであってもよい。
【０１４３】
図１１（ｄ）は、ｇＮＢ（Ａ）が、ステップＳ１１１０で、ｇＮＢ（Ｂ）の負荷状態をｇＮＢ（Ａ）に知らせるように該ｇＮＢ（Ｂ）に要求するために、リソース状態要求を該ｇＮＢ（Ｂ）に送る、リソース状態報告開始手順を示している。ｇＮＢ（Ｂ）は、ステップＳ１１１２において、ｇＮＢ（Ａ）に、各テナントＩＤ、（テナントＩＤ内）スライスタイプ及び／又はｇＮＢ（Ｂ）に関連付けられたＴＵＰＦの負荷状態（例えば、ＵＬ／ＤＬ物理リソースブロック使用量）について知らせるために、リソース状態要求メッセージのよって応答する。
【０１４４】
図１１（ｅ）は、ｇＮＢ（Ｂ）が、定期的な間隔で、及び／又は（例えば、イベントによって）そうするようにトリガされたときに、例えば、ステップＳ１１１４で、各テナントＩＤ、（テナントＩＤ内の）スライスタイプ及び／又は該ｇＮＢ（Ｂ）に関連付けられたＴＵＰＦの優勢的な負荷状態（例えば、ＵＬ／ＤＬ物理リソースブロック使用量）についてｇＮＢ（Ａ）を更新するために、リソース状態更新メッセージを送る、リソース状態報告手順を示している。
【０１４５】
したがって、図１１（ｆ）を参照すると、ハンドオーバーが必要になると、ソースｇＮＢ（例えば、図１１のｇＮＢ（Ａ））は、ステップＳ１１１６に示すように、ハンドオーバーについて決定し、ハンドオーバーされるＵＥ３が属するテナント及び該ＵＥ３が使用しようとしているスライスタイプに対して、該ソースｇＮＢが（例えば、図１１（ｃ）〜（ｅ）に示される手順の１つ又はそれ以上を使用して）近隣のｇＮＢから取得した負荷情報に基づいて、ターゲットｇＮＢ（例えば、図１１のｇＮＢ（Ｂ））を選択することができる。この決定はまた、ハンドオーバーされるＵＥ３が属するテナント及びそれが使用しようとしているスライスタイプをサポートするｇＮＢの近隣から（例えば、図１１（ａ）及び（ｂ）に示される手順の１つ又はそれ以上を使用して）取得した情報に基づいてもよい。
【０１４６】
したがって、この例では、ステップＳ１１１６で決定がなされると、ｇＮＢ（Ａ）は、ステップＳ１１１８で、テナントＩＤ及び／又はスライスタイプ、並びにターゲットｇＮＢ（この例ではｇＮＢ（Ｂ））を含むハンドオーバー要求をｇＮＢ（Ｂ）に送る。ｇＮＢ（Ｂ）は、ステップＳ１１２０で、（通常、ハンドオーバーを開始するためにソースｇＮＢによってＵＥ３に送信されるハンドオーバーコマンドを含む）ハンドオーバー応答（又はハンドオーバー確認）メッセージによって応答する。ハンドオーバー処理の残りの部分は、当業者が精通している手順にしたがって進められてもよく、説明の簡潔さのためにそれの詳細な説明は省略する。
【０１４７】
図１２は、ネットワークスライシングのコンテキストにおいてモビリティをサポートするために図１の電気通信システムに示されるタイプのユーザ機器と基地局の間で実行される複数の手順を示す。
【０１４８】
図１２に示されているように、図１１に示される手順の１つ又はそれ以上の代わりに、又はそれらに加えて、ＵＥ３は、近隣（潜在的なターゲット）ｇＮＢが測定報告（メジャメント報告）を使用して何をサポートできるかに関する情報をソースｇＮＢに与えることができる。そして、ソースｇＮＢはその情報に基づいて適切なターゲットｇＮＢに対する決定をすることができる。
【０１４９】
具体的には、図１２の例において、（ソース）ｇＮＢ（Ａ）は、ステップＳ１２００で送られる適切な測定制御メッセージを用いて、ｇＮＢ（Ｂ）（及び、場合によってはサービングｇＮＢ）等の近隣ｇＮＢに対する適切な近隣セル測定（メジャメント）を実行するようにＵＥ３を設定する。ＵＥ３は、ステップＳ１２０１で、設定された測定を実行し、さらに、近隣によってサポートされているテナントＩＤ及び／又は（テナントＩＤ毎の）スライスタイプを取得する。取得された情報は、例えば、図８を参照して説明したように、近隣セルにおけるシステム情報の一斉放送から取得されてもよい。ＵＥ３は、ステップＳ１２０２において、少なくとも１つの測定報告において測定値及び取得した情報を報告する。なお、ＵＥの支援により、上述のメカニズムは、ｇＮＢがどのテナント／スライスタイプがサポートされているかに関して近隣ｇＮＢを認識するための自動近隣関係（ＡＮＲ（Automatic Neighbour Relation））を向上させ、これらの詳細を用いて近隣関係テーブル（ＮＲＴ（Neighbour Relation Table））を構築することができる。
【０１５０】
そして、ｇＮＢ（Ａ）は、ステップＳ１２０４に示されるように、ハンドオーバーの決定を行い、測定結果と近隣ｇＮＢによってサポートされているテナントＩＤ及び／又は（テナントＩＤ毎の）スライスタイプとに基づいてターゲットｇＮＢ（例えば、ｇＮＢ（Ｂ））を選択する。決定がなされた場合、ｇＮＢ（Ａ）は、ステップＳ１２０６で、テナントＩＤ及び／又はスライスタイプ及びターゲットｇＮＢ（この例ではｇＮＢ（Ｂ））を含むハンドオーバー要求をｇＮＢ（Ｂ）に送る。ｇＮＢ（Ｂ）は、ステップＳ１２０８で、（通常、ハンドオーバーを開始するためにソースｇＮＢによってＵＥ３に送られるハンドオーバーコマンドを含む）ハンドオーバー応答（又はハンドオーバー確認）メッセージによって応答する。ハンドオーバープロセスの残りの部分は、（例えば、ステップＳ１２１０で）当業者が精通している手順にしたがって進められてもよく、説明の簡潔さのためにそれの詳細な説明は省略する。
【０１５１】
＜スライス過負荷状態の取り扱い＞
過負荷に近い状況では、トラフィックを抑えなければならない。地域の事業者のポリシーに基づいて、テナントＩＤ及び／又はスライスタイプに応じてトラフィックを抑えるために、差別化ポリシーを適用してもよい。これに関し、最適な戦略の決定は特定の事業者のポリシーの枠組み次第で決まるが、以下の手順は過負荷／輻輳状況を通知するために使用できるシグナリングメカニズムを提供する。
【０１５２】
図１３は、ｇＮＢにおける輻輳／過負荷の取り扱いを容易にするために、図１の電気通信システムに示されるタイプのユーザ機器と基地局の間で実行される手順を示す。
【０１５３】
図１３の例において、手順はアクセスクラス禁止（ＡＣＢ（Access Class Barring））のものと同様である。しかしながら、ＡＣＢとは異なり、この禁止はテナントＩＤ毎及び／又はスライス識別子毎（例えば、スライスインデックス毎）に行われる。図１３に示されているように、手順は、ｇＮＢ５がテナントＩＤ毎及び／又はスライスインデックス毎にアクセス禁止パラメータを設定（又は変更）することから始まる。アクセス禁止パラメータは、例えば、テナントＩＤ毎／スライスインデックス毎の禁止要因及び／又は禁止時間を含んでもよい。禁止要因は、特定のセルへのアクセスが実際に禁止されているかどうかを決定するためにＵＥ３によって使用されるパラメータである。具体的には、禁止要因（又は「アクセス確率」）によってアクセスが許可される確率が決められる。ＵＥによって生成された乱数ｎが要因（又は「確率」）に等しい場合、アクセスは禁止時間に対応する平均アクセス禁止期間、禁止されるとされる。
【０１５４】
図１３の手順において、ステップＳ１３０４で、ｇＮＢ５が、次にシステム情報を一斉放送するとき、システム情報は、テナントＩＤ毎及び／又はスライスインデックス毎ベースの禁止パラメータを識別する情報を含むように構成されたシステム情報ブロック（例えば、ＳＩＢ２）を含む。
【０１５５】
ステップＳ１３０２で示されているように、ＵＥ３はｇＮＢ５から与えられるシステム情報の定期的な一斉放送に注意を傾け、それにより、ステップＳ１３０４で、ｇＮＢ５がシステム情報を一斉放送したときに、ＵＥ３は、テナントＩＤ毎及び／又はスライスインデックス毎ベースの禁止パラメータを識別する情報を含むシステム情報ブロックを受信する。
【０１５６】
なお、図１３に示した手順においては、特定の時点で示されているが、ＵＥ３のシステム情報の注視は、該ＵＥ３がオンにされている間、それが定期的に実行し続ける継続的なプロセスである。
【０１５７】
テナントＩＤ毎及び／又はスライスインデックス毎ベースの禁止パラメータを識別する情報を受信した後、ステップＳ１３０６で、ＵＥ３は、ｇＮＢ／ＮＲ−ＢＳを介してアクセスを試みるかどうかを決定するときに、それが属するテナント及び／又はそれが使用しようとしているスライスに対するアクセス禁止パラメータを適用する。
【０１５８】
図１４は、ｇＮＢ５における輻輳／過負荷の取り扱いを容易にするために図１の電気通信システムに示されるタイプの基地局とコアネットワーク機能の間で実行される他の手順を示す。
【０１５９】
図１４の例では、手順はコアネットワーク制御過負荷開始及び停止手順のアクセスクラス禁止（ＡＣＢ）のものと同様である。しかしながら、既存のコア過負荷制御手順とは異なり、この過負荷制御はテナントＩＤ毎及び／又はスライス識別子毎（例えば、スライスインデックス毎）に扱われる。
【０１６０】
図１４に示されているように、手順は、ステップＳ１４００で、（モビリティ管理機能７−３等の）コアネットワーク機能が過負荷状態を検出し、テナント毎及び／又はスライス毎に、過負荷動作の適当な形式を決定するときに開始される。コアネットワーク機能７−３は、ステップＳ１４０１で、適切な過負荷開始メッセージを生成し、影響を受けるｇＮＢ５に送る。過負荷開始メッセージは各テナントＩＤ及び／又はスライスインデックスに対する、それぞれの過負荷パラメータを含む。パラメータは、例えば、テナントＩＤ毎及び／又はスライスインデックス毎ベースの、過負荷応答パラメータ及び／又はトラフィック負荷低減指示を含んでもよい。
【０１６１】
ステップＳ１４０１で過負荷開始メッセージを受信したｇＮＢ５は、ステップＳ１４０２で、当該コアネットワーク機能７−３への信号負荷を減少することによって応答する。これは、例えば、各テナントＩＤ及び／又はスライスインデックスに対する、それぞれの過負荷パラメータに基づいてＲＲＣ接続確立を拒否、許可、及び／又は制限することによって達成されてもよい。
【０１６２】
ステップＳ１４０３で、コアネットワーク機能７−３が過負荷状態の終了を検出すると、該コアネットワーク機能７−３はステップＳ１４０３で、適切な過負荷停止メッセージを生成し、影響を受けるｇＮＢ５に送る。
【０１６３】
ステップＳ１４０３で過負荷終了メッセージを受信したｇＮＢ５は、当該コアネットワーク機能への通常動作を再開することによって応答する。
【０１６４】
また、過負荷／輻輳が発生した場合には、トラヒックの制御を支援するために、（例えば、テナント毎及び／又はスライス毎に）ＲＲＣの拒否、ＲＲＣの解放、強制排除、及びアクセスクラス禁止手順のいずれも利用することができる。また、ここで、過負荷はノードの障害又はトラフィックの増加によって発生する可能性がある。
【０１６５】
＜テナント使用量の監視＞
図１５は、（例えば、スライスタイプ毎の）課金等のテナントの使用量に特有の機能の提供を容易にするために図１の電気通信システムに示されるタイの基地局とコアネットワーク機能の間で実行される複数の手順を示す。
【０１６６】
図１５に示されているように、１つ又はそれ以上のＵＥ３が（ステップＳ１５００で示されるように）アップリンク及び／又はダウンリンクにおいてｇＮＢ５介して通信しているとき、ｇＮＢ５は、ステップＳ１５０２で使用されるスライスタイプ毎に各ＵＥに対してダウンリンク及びアップリンクのデータを監視するための専用のカウンターを使用する。データ使用量の累積の目的で、各ＵＥは、それのテナントＩＤに基づいて高いレベルで識別されることができ、それゆえ、各テナントＩＤに対して、かつ／又は（各テナントＩＤに対する）スライスタイプ毎にテナント固有のＤＬ及びＵＬの総データ量を生成するために同じテナントＩＤを有するＵＥ３についてデータ使用量を合計することができる。ｇＮＢ５は、ステップにＳ１５０４で、ＤＬ及びＵＬの総データ量を含むデータ量報告を生成し、（ポリシー／課金機能７−４等の）コアネットワーク機能に送信する。
【０１６７】
ステップＳ１５０６で、コアネットワーク機能７−４は、各ｇＮＢ５から受信したそれぞれのデータ量報告で与えられる情報に基づいて、複数のｇＮＢ５に対するテナント及び／又はスライスタイプ固有のダウンリンク及びアップリンクの総（累積）データ使用量を計算する。
【０１６８】
そして、ステップＳ１５０８で、コアネットワーク機能７−４はステップＳ１５０６で実行された計算の結果に基づいて、課金等のテナント固有使用量機能を実行する。
【０１６９】
（ＩＥＥＥ８０２．１１、ＩＥＥＥ８０２．１５等の）非３ＧＰＰ無線アクセス技術がシームレスな方法でサポートされている場合、データ量の計算も、有益には、異なるＲＡＴベースの課金のための無線アクセス技術毎に行うことができる。無認可の周波数域がライセンス支援アクセス（ＬＡＡ（License Assisted Access））で使用される場合、上述の情報も考慮に入れてもよい。
【０１７０】
＜動的な機能的分割＞
図１６は、図１の電気通信システムに示され、図４を参照して説明されたタイプの分散基地局の分散ユニットと中央ユニットとの間の機能的分割のための、複数の異なるオプションを示している。オプションは次のものを含む。
【０１７１】
＜オプション１＞
−オプション１の機能的分割に従うと、無線リソース制御（ＲＲＣ）層の機能は中央ユニットで実行される。パケットデータ集中プロトコル（ＰＤＣＰ（Packet Data Convergence Protocol））、無線リンク制御（ＲＬＣ（Radio Link Control））、メディアアクセス制御（ＭＡＣ（Media Access Control））、及び物理（ＰＨＹ（Physical））層の機能、並びに無線周波数（ＲＦ）機能は分散ユニットにおいて実行される。
【０１７２】
＜オプション２＞
−オプション２機能的分割に従うと、ＲＲＣ層及びＰＤＣＰ層の機能は中央ユニットに存在する。ＲＬＣ、ＭＡＣ、物理層、及びＲＦの機能は分散ユニットに存在する。
【０１７３】
＜オプション３＞
−オプション３の機能的分割に従うと、ＲＲＣ、ＰＤＣＰ及び上位ＲＬＣ層（すなわち、ＲＬＣの一部）の機能は中央ユニットに存在する。下位ＲＬＣ層（すなわち、ＲＬＣ層の他の部分）の機能、ＭＡＣ層、物理層及びＲＦの機能は分散ユニットに存在する。
【０１７４】
＜オプション４＞
−オプション４に従う機能的分割に従うと、ＲＲＣ、ＰＤＣＰ及びＲＬＣ層の機能は中央ユニットに存在する。ＭＡＣ、物理層及びＲＦの機能は分散ユニットに存在する。
【０１７５】
＜オプション５＞
−オプション５の機能的分割に従うと、ＲＲＣ、ＰＤＣＰ、ＲＬＣ、及び上位のＭＡＣ層の機能は中央ユニットに存在する。下位のＭＡＣ層（例えば、ハイブリッド自動再送要求（ＨＡＲＱ（Hybrid Automatic Repeat Request）））、物理層及びＲＦの機能は分散ユニットに存在する。
【０１７６】
＜オプション６＞
−オプション６の機能的分割に従うと、ＲＲＣ、ＰＤＣＰ、ＲＬＣ及びＭＡＣレイヤの機能は中央ユニットに存在する。物理層とＲＦの機能は分散ユニットに存在する。
【０１７７】
＜オプション７＞
−オプション７の機能的分割に従うと、ＲＲＣ、ＰＤＣＰ、ＲＬＣ、ＭＡＣ及び物理層の（上位の）部分の機能は中央ユニットに存在する。物理層の（下位の）部分及びＲＦの機能は分散ユニットに存在する。
【０１７８】
＜オプション８＞
−オプション８の機能的分割に従うと、ＲＲＣ、ＰＤＣＰ、ＲＬＣ、ＭＡＣ及び物理層の機能は中央ユニットに存在する。ＲＦの機能は分散ユニットに存在する。
【０１７９】
なお、示されたオプションはすべてのものを網羅したものではない。
【０１８０】
なお、中央ユニットと分散ユニットとの間の機能的分割のための上記のオプションはいずれも、特に、チャネル状態、負荷状態、サービス要求の品質が変わってしまうという理由で、すべてのシナリオにおいて最適であるものではない。
【０１８１】
図１７及び図１８の各々は、例えば、チャネル状態、負荷状態、サービス要求の品質等に基づいて上述の機能的分割を最適化するために機能的分割を動的に変更することを可能にすることによって、そのような機能的分割を有する基地局の柔軟性を改善するために使用される手順を示している。これらの手順の各々において、図１６を参照して説明された機能的分割のための異なるオプションの各々（又はこれらのオプションの少なくともサブセットの各々）には、それぞれの識別子（例えばインデックス番号）が与えられる。ＵＥのサービス要求が確立されると、分散ｇＮＢ５−２の中央ユニット（図１７）又はコアノード機能７−５（図１８）は、どの機能的分割オプションを使用するかを決定し、中央ユニットと分散ユニット間で適切な機能的分割をセットアップするために関連する指示を与える。
【０１８２】
なお、これらの手順は、分離して、又は（例えば、電気通信システム１内の異なるオプションとして）組み合わせで実施されてもよい。
【０１８３】
図１７は、図１の電気通信システムに示されるタイプの分散型基地局の分散ユニットと中央ユニットとの間の機能的分割の動的設定を容易にするために、図１の電気通信システムで実行される手順を示す。
【０１８４】
図１７の例において、手順は、ステップＳ１７００で、サービス要求がＵＥ３からの分散ｇＮＢ５−２に送られたときに開始される。サービス要求は通常、ＵＥ３を識別する情報、ＵＥ３が属するテナント、及び／又はそれが使用することを望むスライスを含む。ｇＮＢ５−２の分散ユニット５−２ａはサービス要求を受信し、ステップＳ１７０２で、それをｇＮＢ５−２の中央ユニット５−２ｂに転送する。
【０１８５】
この例において、ステップＳ１７０４で、中央ユニット５−２ｂは、識別されたＵＥ３、ＵＥ３が属するテナント及び／又はＵＥ３が使用することを望むスライスに対する、最適な機能的分割を決定する。この決定は通常、優勢的なチャネル状態、負荷状態及び／又はサービス要求の品質を考慮に入れるであろう。
【０１８６】
最適な機能的分割に関する決定がなされたとき、中央ユニット５−２ｂはステップＳ１７０５で、分散ユニット５−２ａに機能的分割の指示を与え、分散ユニット及び中央ユニットはステップＳ１７０６でＵＥ３、テナントＩＤ及び／又はスライスに対する機能的分割を設定（再設定）する。
【０１８７】
ステップＳ１７０８において、サービス要求はネットワークコア７内の適切な機能に転送される。これは初期ＵＥメッセージ等の一部であってもよい。コアネットワーク機能７は、ステップＳ１７１０において、ＵＥコンテキストのセットアップに対する要求（例えば、初期コンテキストセットアップ要求）をｇＮＢ５−２に送ることによって応答する。ｇＮＢ５−２においてコンテキストが適切にセットアップされると、ｇＮＢ５−２の中央ユニット５−２ｂはＵＥコンテキストのセットアップの確認のためにコアネットワーク機能７に適切な応答（例えば、初期コンテキストセットアップ応答）を送る。なお、これらのメッセージ及びＵＥコンテキストの関連するセットアップは、例えば、機能的分割及び関連する再設定の決定の前又はそれと並行して、処理の早い段階で行われてもよい。
【０１８８】
手順は、ステップＳ１７１４で、当業者が精通しており、ここでは詳細な説明を省略する、適切なベアラー確立／変更とともに続けられる。
【０１８９】
図１８は、図１の電気通信システムに示されるタイプの分散型基地局の分散ユニットと中央ユニットとの間の機能的分割の動的設定を容易にするために、図１の電気通信システムで実行される他の手順を示す。
【０１９０】
図１８の例では、図１７の手順と同様に、手順は、ステップＳ１８００で、サービス要求がＵＥ３からの分散ｇＮＢ５−２に送られたときに開始される。サービス要求は通常、ＵＥ３を識別する情報、ＵＥ３が属するテナント、及び／又はそれが使用することを望むスライスを含む。ｇＮＢ５−２の分散ユニット５−２ａはサービス要求を受信し、ステップＳ１８０２で、それをｇＮＢ５−２の中央ユニット５−２ｂに転送する。
【０１９１】
この例では、しかしながら、ステップＳ１８０４で、サービス要求はコアネットワークに転送される。これは初期ＵＥメッセージ等の一部としてであってもよい。適切なコアネットワーク機能（例えば、分散ｇＮＢの制御機能７−５又はそのような機能を含むコアネットワーク機能）は、ステップＳ１８０６において、識別されたＵＥ３、ＵＥ３が属するテナント及び／又はＵＥ３が使用することを望むスライスに対する、最適な機能的分割を決定する。この決定は通常、優勢的なチャネル状態、負荷状態及び／又はサービス要求の品質を考慮に入れるであろう。
【０１９２】
コアネットワークは、ステップＳ１８０８で、ｇＮＢ５−２の中央ユニット５−２ｂへの機能的分割の指示を含むＵＥコンテキストのセットアップのための要求（例えば、初期コンテキストセットアップ要求）をｇＮＢ５−２に送る。ステップＳ１８０９で、中央ユニット５−２ｂは機能的分割の指示を分散ユニット５−２ａに与え、ステップＳ１８１０で、分散ユニット及び中央ユニットはＵＥ３、テナントＩＤ及び／又はスライスの機能的分割を設定（又は再設定）する。
【０１９３】
ｇＮＢ５−２においてコンテキストが適切にセットアップされると、ｇＮＢ５−２の中央ユニット５−２ｂはＵＥコンテキストの設定の確認のためにコアネットワークに適切なメッセージ（例えば、初期コンテキストセットアップ応答）を送る。なお、これらのメッセージ及びＵＥコンテキストの関連するセットアップは、例えば、機能的分割の通知及び（再）設定の前又はそれと並行して、処理の早い段階で行われてもよい。
【０１９４】
手順は、ステップＳ１８１４で、当業者が精通しており、ここでは詳細な説明を省略する、適切なベアラー確立／変更とともに続けられる。
【０１９５】
変形及び代替
複数の詳細な実施形態が説明された。当業者には理解されるように、実施例で説明された本発明の利益を受けながら、上記の実施形態に対して多くの変更及び代替を行うことができる。例示のために、これらの代替例及び変更例のいくつかを以下に説明する。
【０１９６】
上記の実施形態では、ユーザ装置、基地局及び／又はコアネットワーク機能等を実現するために複数のソフトウェアモジュールを説明した。当業者には理解されるように、そのようなソフトウェアモジュールはコンパイルされた形式又はコンパイルされていない形式で提供されてもよく、コンピュータネットワーク上の信号として対応するハードウェアに供給されてもよいし、又は記録メディア上に供給されてもよい。さらに、これらソフトウェアの一部又は全部によって実行される機能は、１つ又はそれ以上の専用ハードウェア回路を使用して実行されてもよい。しかしながら、ソフトウェアモジュールの使用は、それの機能を更新するための対応するハードウェアの更新を容易にすることができるので、それらの使用が好ましい。同様に、上記の例としての実施形態は送受信機回路を使用しているが、送受信機回路の機能のうちの少なくともいくつかはソフトウェアによって実行することもできる。
【０１９７】
例えば、コアネットワークの機能は論理的な機能であるとして記載してきたが、それらは、必要とされる論理的機能（例えば、図５〜図７を参照して説明したコントローラの一部を形成する１つ又はそれ以上のコンピュータプロセッサ）を与えるために適切なソフトウェア命令を用いてプログラムされる、１つ又それ以上のハードウェアコンピュータプロセッサを有する１つ又はそれ以上のコンピュータ処理装置を用いて実施されてもよい。さらに、これらの機能の全部又は一部が、例えば、特定用途向け集積回路（ＡＳＩＣ）等の１つ又はそれ以上の専用の集積回路を使用して、専用回路としてハードウェアで実施されてもよい。
【０１９８】
同様に、ユーザ装置及び基地局（ｇＮＢｓ）の機能は、通常、必要とされる論理的機能（例えば、図２、３、４を参照して説明したコントローラの一部を形成する１つ又はそれ以上のコンピュータプロセッサ）を与えるために適切なソフトウェア命令を用いてプログラムされる、１つ又それ以上のハードウェアコンピュータプロセッサを有する１つ又はそれ以上のコンピュータ処理装置を用いて実施されてもよい。さらに、これらの機能の全部又は一部が、例えば、特定用途向け集積回路（ＡＳＩＣ）等の１つ又はそれ以上の専用の集積回路を使用して、専用回路としてハードウェアで実施されてもよい。
【０１９９】
なお、（図２〜７への参照とともに）ＵＥ、ｇＮＢｓ、コアネットワークノード／機能の記載で参照されたコントローラは、例えばアナログ又はデジタルコントローラ等の任意の適切なコントローラを備えてもよい。各コントローラは、例えば、（これらに限定されないが）次のものを含む任意の適切な形態の処理回路を含んでもよい。すなわち、１つ又それ以上のハードウェアコンピュータプロセッサ、マイクロプロセッサ中央処理装置（ＣＰＵ）、算術論理装置（ＡＬＵ）、入出力（ＩＯ）回路、内部メモリ／キャッシュ（プログラム及び／又はデータ）、処理レジスタ、通信バス（例えば、制御、データ及び／又はアドレスバス）、ダイレクトメモリアクセス（ＤＭＡ）機能、ハードウェア又はソフトウェアカウンター、ポインタ、及び／又はタイマを含んでもよい。
【０２００】
また、手順は、チャネル状態、要求されるサービスの品質等に基づいて動的に機能的分割を変更するものとして説明してきたが、機能的分割は、異なるテナントＩＤ及び／又は任意のテナントＩＤ内のスライスタイプに対して予め設定された異なる機能的分割のオプションに対して固定的であってもよい。さらに、例として、機能的分割の指示を与えるために初期コンテキストセットアップ要求を説明してきたが、この目的のために他の同等のものを使用することもできる。また、指示はスライスインデックスの選択時に通知されてもよく、（例えば、Ｓ１ＡＰ初期コンテキストセットアップ要求のように）ＣＵとＤＵの間の適切な機能的分割とともにユーザプレーンスライスが選択されるように、この指示が通知されてもよい。
【０２０１】
なお、図１はネットワークスライス全体を表しているように描かれているが、コアは自身のスライスを有してもよく、それによって無線アクセスネットワークＲＡＮを有してもよい。同様に、コントロールプレーン（ＣＰ）とユーザプレーン（ＵＰ）は全く異なるスライスを有してもよい。ＲＡＮのスライスからコアスライスへのマッピングは、標準化及びセルラー通信事業者のポリシーに応じて変化してもよい。
【０２０２】
また、テナントは、それを介して仮想移動体通信事業者（ＭＶＮＯ）が彼らの顧客にサービスを提供する、自身の無線ネットワーク基盤を所有しない、ＭＶＮＯやモバイル他ライセンス事業者（ＭＯＬＯ（Mobile Other Licensed Operator））等の卸売顧客であってもよい。ただし、テナントは必ずしもＭＶＮＯである必要はない。テナントは、多国籍企業、車両団体、緊急サービス、セキュリティサービス（セキュリティ会社等）のような法人顧客であってもよい。各テナントは、サービスレベルの契約に基づいてどのスライスタイプを使用するかに関して、異なる要求を有してもよい。テナントのコンセプトにより、今日、モバイルネットワーク事業者は多様な顧客要求を区別し、１つ又はそれ以上のスライスを使用してカスタマイズされたサービスを提供できる。
【０２０３】
また、異なる装置が他の機器／装置との間でデータを通信（すなわち、送受信）するための送受信機回路を有するものとして説明してきたが、送受信機機能は、同じ物理装置上の同じ場所に配置されたそれぞれの異なる機能間でメッセージ及び／又は情報を通信するために、対応するハードウェアコントローラ上でソフトウェアによって実施されてもよい。
【０２０４】
代替的に又は付加的に、（例えば、固定的なＵＥシナリオを可能にするために）ＴＵＰＦ又は少なくとも１つの付加的なＴＵＰＦがアクセスネットワークと同じ場所に配置されてもよい。
【０２０５】
なお、用語「テナント」の代わりに用語「参加事業者」が使用されてもよい。
【０２０６】
上記の実施形態では、３ＧＰＰ標準に従って動作する通信システムを説明してきた。しかしながら、当業者には理解されるように、本願に記載された技術は、他の規格にしたがって動作する通信システム、特に、マイクロ波アクセス（ＷｉＭＡＸ）規格のためのワールドワイドインターオペラビリティ（Worldwide Interoperability）等の任意の直交周波数分割多重（ＯＦＤＭ（Orthogonal Frequency-Division Multiplexing））ベースのシステムに採用することができる。
【０２０７】
上記の例では、携帯電話ベースの電気通信システムを説明した。当業者には理解されるように、本出願に記載されている技術は任意の通信システムにおいて使用することができる。一般的な場合、基地局と携帯電話は互いに通信する通信ノード又は装置と見なすことができる。他の通信ノード又は装置は、アクセスポイント、及び携帯情報端末、ラップトップコンピュータ、ウェブブラウザ等のユーザ装置を含んでもよい。
【０２０８】
したがって、上記の説明は下記の通信システムの通信装置の例を記述していると考えてもよい。すなわち、ネットワークスライスがサポートされ、少なくとも１つのテナントが該テナントに関連付けられた少なくとも１つのスライスタイプを使用して通信を行うことがきる通信システムのための通信装置が提供される。通信装置は、コントローラと送受信機を備え、前記送受信機は基地局によって送信されるネットワークスライシング関連情報を受信するように構成され、前記ネットワークスライシング関連情報は少なくとも、（ｉ）それの通信が前記基地局を介してサポートされているテナント、及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータを含む情報、のうちの少なくとも１つを含み、そして前記コントローラは、特に前記通信装置が関連付けられたテナント及び前記通信装置が関連付けられたテナントのスライスタイプのうちの少なくとも１つに関連する、前記受信されたネットワークスライシング関連情報で与えられる情報に基づいて、前記通信装置が関連付けられたテナントのスライスタイプを有するスライスを使用して、前記送受信機を介して、通信を制御するように構成されている。
【０２０９】
上で示されているように、前記ネットワークスライシング関連情報は、それの通信が前記基地局を介してサポートされているテナント、及び前記基地局によってサポートされているテナントのネットワークスライスタイプのうちの少なくとも１つを識別する情報を含んでもよい。前記コントローラは、前記受信したネットワークスライシング関連情報に与えられた前記サポートを識別する情報に基づいて、前記基地局が、前記通信装置が関連付けられている前記テナントをサポートするか、及び前記基地局が、前記通信装置が関連付けられている前記テナントのテナントスライスタイプをサポートするかのうちの少なくとも１つに基づいて、前記セルに在圏（キャンプオン）するかを決定するように構成されてもよい。
【０２１０】
上で示されているように、前記ネットワークスライシング関連情報は、特定のテナント、及び特定のテナントの特定のスライスタイプのうちの少なくとも１つに関連付けられた少なくとも１つの通信パラメータを含んでもよい。
【０２１１】
前記少なくとも１つの通信パラメータは、特定のテナント、及び特定のテナントの特定のスライスタイプのうちの少なくとも１つに固有の少なくとも１つのランダムアクセスチャネル（ＲＡＣＨ）を識別する少なくとも１つの通信パラメータを含んでもよい。前記コントローラは、前記受信されたネットワークスライシング関連情報に与えられた少なくとも１つのランダムアクセスチャネル（ＲＡＣＨ）プリアンブルを識別する少なくとも１つのパラメータに基づいて、前記通信装置が関連付けられている前記テナント、及び前記通信装置が関連付けられている前記テナントのスライスタイプのうちの少なくとも１つに固有のＲＡＣＨプリアンブルを選択し、該選択されたＲＡＣＨプリアンブルが前記基地局に送られるＲＡＣＨ手順を開始するように構成されてもよい。
【０２１２】
前記少なくとも１つの通信パラメータは、無線アクセスチャネル（ＲＡＣＨ）要求の最初の送信を受信するために前記基地局のための目標電力レベルを表すパラメータ（例えば、テナント／スライスタイプ固有のPreambleInitialReceivedTargetPower）、ＲＡＣＨ要求の繰り返しを送信するときに前記通信装置によって使用される電力増分を表すパラメータ（例えば、テナント／スライスタイプ固有のPowerRampingStep）、前記通信装置がいつＲＡＣＨを送るべきかを表すパラメータ（例えば、テナント／スライスタイプ固有のprach-ConfigIndex）、ＲＡＣＨアクセスに対して利用可能な周波数リソース（例えば、物理リソースブロック）を表すパラメータ（例えば、テナント／スライスタイプ固有のprach-FreqOffset）、及びランダムアクセス応答ウィンドウの持続時間を表すパラメータ（例えば、テナント／スライスタイプ固有のra-ResponseWindowSize）のうちの少なくとも１つを含んでもよい。
【０２１３】
前記少なくとも１つの通信パラメータは、少なくとも１つのアクセス禁止パラメータを含んでもよく、前記コントローラは前記少なくとも１つのアクセス禁止パラメータに基づいて通信を制御するように構成されてもよい。
【０２１４】
前記ネットワークスライシング関連情報は前記基地局によるシステム情報（例えば、ＳＩＢ２等のシステム情報ブロック（ＳＩＢ））の一斉放送で受信されてもよい。
【０２１５】
したがって、上記の説明は下記の基地局の例を記述していると考えてもよい。すなわち、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記コントローラは該送受信機による送信のためのネットワークスライシング関連情報を生成するように構成され、前記送信のためのネットワークスライシング関連情報は少なくとも、（ｉ）それの通信が前記基地局を介してサポートされているテナント、及び前記基地局によってサポートされているテナントのネットワークスライスタイプのうちの少なくとも１つに対するサポートを識別する情報、（ｉｉ）特定のテナント、及び特定のテナントの特定のスライスタイプのうちの少なくとも１つに関連付けられた少なくとも１つの通信パラメータを含む情報、のうちの少なくとも１つを含み、そして前記送受信機は前記コントローラによって生成された前記ネットワークスライシング関連情報を他の基地局及び通信装置のうちの少なくとも１つに送信するように構成されている。
【０２１６】
上で示されているように、前記ネットワークスライシング関連情報は、特定のテナント、及び特定のテナントの特定のスライスタイプのうちの少なくとも１つに関連付けられた少なくとも１つの通信パラメータを含む情報を含んでもよい。
【０２１７】
前記少なくとも１つの通信パラメータは、特定のテナント、及び特定のテナントの特定のスライスタイプのうちの少なくとも１つに固有の少なくとも１つのランダムアクセスチャネル（ＲＡＣＨ）を識別する少なくとも１つのパラメータを含んでもよい。前記送受信機は、特定のテナント及び特定のテナントの特定のスライスタイプのうちの少なくとも１つに固有のＲＡＣＨプリアンブルを通信装置から受信するように構成されてもよい。前記コントローラは、前記受信したＲＡＣＨプリアンブルに基づいて、特定のテナント、及び特定のテナントの特定のスライスタイプのうちの少なくとも１つの通信を優先順位付けするように構成されてもよい。
【０２１８】
前記ネットワークスライシング関連情報は、特定のテナント、及び特定のテナントの特定のスライスタイプのうちの少なくとも１つに対する負荷及び／又は輻輳状態を識別する少なくとも１つの通信パラメータを含んでもよい。前記送受信機は、特定のテナント、及び特定のテナントの特定のスライスタイプのうちの少なくとも１つに対する負荷及び／又は輻輳状態を識別する前記通信パラメータを、（例えば、リソース状態報告手順、リソース状態報告開始手順、及び負荷指示手順のうちの少なくとも１つの一部として）基地局から基地局へのインターフェースを介して、他の少なくとも１つの基地局に送信するように構成されてもよい。
【０２１９】
前記少なくとも１つの通信パラメータは、少なくとも１つのアクセス禁止パラメータを含んでもよく、前記コントローラは前記少なくとも１つのアクセス禁止パラメータに基づいて通信を制御するように動作可能である。
【０２２０】
上で示されているように、前記ネットワークスライシング関連情報は、それの通信が前記基地局を介してサポートされているテナント、及び前記基地局によってサポートされているテナントのネットワークスライスタイプのうちの少なくとも１つを識別する情報を含んでもよい。前記送受信機は、それの通信が前記基地局を介してサポートされているテナント、及び前記基地局によってサポートされているテナントのネットワークスライスタイプのうちの少なくとも１つを識別する情報を、（例えば、もう１つの基地局とのインターフェース確立手順、及び設定更新手順のうちの少なくとも１つの一部として）基地局から基地局へのインターフェースを介して、もう１つの基地局に送信するように構成されてもよい。
【０２２１】
前記送受信機は、（ｉ）それの通信が前記基地局を介してサポートされているテナント、及び前記基地局によってサポートされているテナントのネットワークスライスタイプのうちの少なくとも１つに対する、少なくとも１つの他の基地局によるサポートを識別する情報、及び（ｉｉ）特定のテナント、及び特定のテナントの特定のスライスタイプのうちの少なくとも１つに関連付けられた少なくとも１つの通信パラメータを含む情報、のうちの少なくとも１つを含むネットワークスライシング関連情報を、前記少なくとも１つの他の基地局から受信するように構成され、前記コントローラは前記受信したネットワークスライシング関連に基づいてハンドオーバーのターゲットを決定するように動作可能である。
【０２２２】
したがって、上記の説明は下記の基地局の例を記述していると考えてもよい。すなわち、ネットワークスライスがサポートされ、少なくとも１つのテナントが該テナントに関連付けられた少なくとも１つのスライスタイプを使用して通信を行うことがきる通信システムのための基地局が提供される。基地局は、コントローラと送受信機を備え、前記コントローラは前記基地局を介した通信に対するデータ使用量情報を取得するように構成され、該データ使用量情報は、それに対して前記基地局を介した通信が行われる各テナント、及びそれに対して前記基地局を介した通信が行われる各テナントの各ネットワークスライスタイプのうちの少なくとも１つに対する、それぞれ別個のデータ使用量情報を含み、そして前記送受信機は該取得したそれぞれ別個のデータ使用量情報をコアノードに提供するように構成されている。
【０２２３】
前記コントローラはさらに、前記基地局を介した通信のためのデータ使用量情報を取得するように動作可能であり、該データ使用量情報はさらに、前記基地局を介した通信に対して使用される各無線アクセス技術、前記基地局を介した通信に対して使用される各周波数（各周波数帯）、前記基地局を介した通信に対して使用される各技術、アップリンク通信、及びダウンリンク通信のうちの少なくとも１つに対する、それぞれ別個のデータ使用量情報を含んでもよい。
【０２２４】
したがって、上記の説明は下記の基地局の例を記述していると考えてもよい。すなわち、ネットワークスライスがサポートされ、少なくとも１つのテナントが該テナントに関連付けられた少なくとも１つのスライスタイプを使用して通信を行うことがきる通信システムのための基地局装置が提供される。基地局装置は、分散ユニットと中央ユニットを備え、前記分散ユニットと前記中央ユニットの各々はコントローラと送受信機を備え、前記分散ユニットの前記コントローラは、前記中央ユニットに比べて、前記基地局装置の下位層の機能性を提供するように構成され、前記中央ユニットの前記コントローラは、前記分散ユニットに比べて、前記基地局装置の上位層の機能性を提供するように構成され、前記分散ユニットによって提供される前記下位層の機能性と前記中央ユニットによって提供される前記上位層の機能性との間には複数の可能な機能的分割が存在し、そして前記分散ユニットの前記コントローラ及び前記中央ユニットの前記コントローラは、前記分散ユニットによって提供される前記下位層の機能性と前記中央ユニットによって提供される前記上位層の機能性との間の前記機能的分割を、前記可能な機能的分割の第１分割から該機能的分割の第２分割へ動的に再設定するように構成されている。
【０２２５】
前記中央ユニットの前記コントローラは、可能な機能的分割のどれを使用するべきかを決定するように構成され、前記分散ユニットの前記コントローラと前記中央ユニットの前記コントローラは、前記中央ユニットの前記コントローラによって使用されるべき機能的分割の決定に従って機能的分割を再設定するように構成されてもよい。前記中央ユニットの前記コントローラは、チャネル状態、サービス品質の要求、サービス中の通信装置の識別、通信のために使用するスライスの識別、及びそれに対して前記基地局を介して通信が行われるテナントの識別のうちの少なくとも１つに基づいて、前記可能な機能的分割のどれを使用するべきかを決定するように構成されてもよい。前記分散ユニットの前記コントローラ及び前記中央ユニットの前記コントローラは、コアノードによって使用されるべき機能的分割の決定にしたがって機能的分割を再設定するように構成されてもよい。
【０２２６】
当業者には他の多様な変更が明白であるが、それらの詳細な説明は省略する。
【０２２７】
この出願は、２０１６年８月１２日に出願された英国特許出願第１６１３８９９．２号を基礎とする優先権を主張し、その開示の全てをここに取り込む。
【図１】
2020092453.tif 000003
【図２】
2020092453.tif 000004
【図３】
2020092453.tif 000005
【図４】
2020092453.tif 000006
【図５】
2020092453.tif 000007
【図６】
2020092453.tif 000008
【図７】
2020092453.tif 000009
【図８】
2020092453.tif 000010
【図９】
2020092453.tif 000011
【図１０】
2020092453.tif 000012
【図１１】
2020092453.tif 000013
【図１２】
2020092453.tif 000014
【図１３】
2020092453.tif 000015
【図１４】
2020092453.tif 000016
【図１５】
2020092453.tif 000017
【図１６】
2020092453.tif 000018
【図１７】
2020092453.tif 000019
【図１８】
2020092453.tif 000020